(57)【要約】  【課題】  心配性の人は外出する際に玄関ドアを施錠した後にちゃんと施錠されたかを確認するが、その施錠を確認する行為はいつしか慣れとなってしまって、無意識のうちにこの施錠確認行為をするようになり、施錠確認行為をした上で玄関ドアを離れているにも関わらず、何かの拍子で我に返って（玄関ドアを施錠したのか心配になって）再び玄関ドアまで戻ってきてしまうこと。  【解決手段】  住居から乗用車６で外出する場合に利用者１が最も我に帰りやすいタイミングとなる、乗用車６のドアロックが開錠された／されようとした際に、住居に関する情報をその乗用車６の外部に向けて乗用車内情報処理システム６−２が情報出力手段１８−２から出力するようにしたので、玄関ドア２を施錠した後、実際に玄関ドア２を開ける行為をしてみて実際に開かないことを確認する心配性な利用者１であっても安心して外出することが出来る。  【選択図】    図１
2006009338.tif 000002
【特許請求の範囲】
【請求項１】
住居に設置され、該住居に関する情報を収集する情報収集装置から情報を受信し、受信した当該情報を利用者に乗用車を介して提供するために、該乗用車に搭載された乗用車内情報処理装置を用いた情報提供システムであって、
前記情報収集装置は、
前記住居に設置されたセンシング機器から前記住居に関する情報を収集する情報収集手段と、
前記情報収集手段が収集した前記住居に関する情報を記憶する住居情報記憶手段と、
前記住居の玄関ドアが前記住居の外側から施錠された後に、施錠後の前記玄関ドアの外側に設置された取っ手が操作されたことを示す施錠確認行為検知信号を前記玄関ドアに設置された検知手段から受信すると、前記住居情報記憶手段から前記住居に関する情報を読み出して、読み出した当該情報を前記乗用車内情報処理装置に送信する情報送信手段とを備え、
前記乗用車内情報処理装置は、
前記住居に関する情報を前記情報収集装置から情報受信手段によって受信すると、受信した当該情報を記憶する受信情報記憶手段と、
前記乗用車のドアロックの開錠を要求する開錠要求信号を受信する信号受信手段と、
前記開錠要求信号を前記信号受信手段によって受信すると、受信した前記開錠要求信号と照合するための認証情報を認証情報記憶部から読み込んで、読み込んだ前記認証情報と受信した前記開錠要求信号とを照合する信号照合手段と、
前記信号照合手段によって前記開錠要求信号が適正であると判断されたときには、前記住居に関する情報を前記受信情報記憶手段から読み込んで、読み込んだ当該情報を前記乗用車の外部に出力する情報出力手段とを備えることを特徴とする情報提供システム。
【請求項２】
住居に設置され、該住居に関する情報を収集する情報収集装置から情報を受信し、受信した当該情報を利用者に乗用車を介して提供するために、該乗用車に搭載された乗用車内情報処理装置を用いた情報提供システムであって、
前記情報収集装置は、
前記住居に設置されたセンシング機器から前記住居に関する情報を収集する情報収集手段と、
前記情報収集手段が収集した前記住居に関する情報を記憶する住居情報記憶手段と、
前記住居の玄関ドアが前記住居の外側から施錠された後に、施錠後の前記玄関ドアの外側に設置された取っ手が操作されたことを示す施錠確認行為検知信号を前記玄関ドアに設置された検知手段から受信すると、前記住居情報記憶手段から前記住居に関する情報を読み出して、読み出した当該情報を情報記憶媒体に対する情報として玄関ドア周辺領域に発信する情報発信手段とを備え、
前記情報記憶媒体は、
前記乗用車のドアロックの開錠を要求する開錠要求信号を記憶するとともに、前記住居に関する情報を前記情報収集装置から情報受信手段によって受信すると、受信した当該情報を記憶する情報記憶手段と、
前記開錠要求信号の出力指示を受け付けると、前記情報記憶手段から前記開錠要求信号とともに前記住居に関する情報を前記情報記憶手段から読み出して、読み出した当該情報を前記乗用車内情報処理装置に送信する情報送信手段とを備え、
前記乗用車内情報処理装置は、
前記情報記憶媒体から前記開錠要求信号とともに前記住居に関する情報を受信する信号受信手段と、
前記開錠要求信号を前記信号受信手段によって受信すると、受信した前記開錠要求信号と照合するための認証情報を認証情報記憶部から読み込んで、読み込んだ前記認証情報と受信した前記開錠要求信号とを照合する信号照合手段と、
前記信号照合手段によって前記開錠要求信号が適正であると判断されたときには、前記で受信した前記住居に関する情報を前記乗用車の外部に出力する情報出力手段とを備えることを特徴とする情報提供システム。
【請求項３】
前記施錠確認行為検知信号を出力する前記検知手段は、前記住居の玄関ドアが前記住居の外側から施錠された後に、施錠後の前記玄関ドアの外側に設置された取っ手が操作されたが、該玄関ドアが開かなかったことを検知した場合に、前記施錠確認行為検知信号を出力することを特徴とする前記情報収集装置を用いた請求項１または２に記載の情報提供システム。
【請求項４】
住居に設置され、該住居に関する情報を収集する情報収集装置から前記情報を受信し、受信した当該情報を利用者に乗用車を介して提供するために、該乗用車に搭載された乗用車内情報処理装置を用いた情報提供システムであって、
前記情報収集装置は、
前記住居に設置されたセンシング機器から前記住居に関する情報を収集する情報収集手段と、
前記情報収集手段が収集した前記住居に関する情報を記憶する住居情報記憶手段と、
前記利用者が前記玄関から外出したことを示す外出行為検知信号を前記玄関ドアに設置された検知手段から受信すると、前記利用者の所持する情報記憶媒体に対して利用者ＩＤの返信を要求する返信要求信号を前記玄関ドア周辺領域に発信する情報発信手段と、
前記情報発信手段が発信した信号に応じた前記情報記憶媒体から利用者ＩＤを信号受信手段によって受信すると、受信した利用者ＩＤに基づき、前記住居情報記憶手段から前記住居に関する情報を読み出して、読み出した当該情報を前記乗用車内情報処理装置に送信する情報送信手段とを備え、
前記乗用車内情報処理装置は、
前記住居に関する情報を前記情報収集装置から情報受信手段によって受信すると、受信した当該情報を記憶する受信情報記憶手段と、
前記乗用車のドアロックの開錠を要求する開錠要求信号を受信する信号受信手段と、
前記開錠要求信号を前記信号受信手段によって受信すると、受信した前記開錠要求信号と照合するための認証情報を認証情報記憶部から読み込んで、読み込んだ前記認証情報と受信した前記開錠要求信号とを照合する信号照合手段と、
前記信号照合手段によって前記開錠要求信号が適正であると判断されたときには、前記住居に関する情報を前記受信情報記憶手段から読み込んで、読み込んだ当該情報を前記乗用車の外部に出力する情報出力手段とを備えることを特徴とする情報提供システム。
【請求項５】
前記情報収集装置は、前記情報発信手段が発信した信号に応じた前記情報記憶媒体から利用者ＩＤを信号受信手段によって受信すると、受信した前記利用者ＩＤと照合するための認証情報を認証情報記憶部から読み込んで、読み込んだ前記認証情報と受信した前記利用者ＩＤとを照合する信号照合手段をさらに備え、
前記情報収集装置の前記情報送信手段は、前記信号照合手段によって前記利用者ＩＤが適正であると判断されたときに、当該利用者ＩＤに基づき、前記住居情報記憶手段から前記住居に関する情報を読み出して、読み出した当該情報を前記乗用車内情報処理装置に送信することを特徴とする請求項４に記載の情報提供システム。
【請求項６】
住居に設置され、該住居に関する情報を収集する情報収集装置から前記情報を受信し、受信した当該情報を利用者に乗用車を介して提供するために、該乗用車に搭載された乗用車内情報処理装置を用いた情報提供システムであって、
前記情報収集装置は、
前記住居に設置されたセンシング機器から前記住居に関する情報を収集する情報収集手段と、
前記情報収集手段が収集した前記住居に関する情報を記憶する住居情報記憶手段と、
前記利用者が前記玄関から外出したことを示す外出行為検知信号を前記玄関ドアに設置された検知手段から受信すると、前記利用者の所持する第１の情報記憶媒体に対して利用者ＩＤの返信を要求する返信要求信号を前記玄関ドア周辺領域に発信する情報発信手段とを備え、
前記情報収集装置の前記情報発信手段は、前記情報発信手段が発信した信号に応じた前記第１の情報記憶媒体から利用者ＩＤを信号受信手段によって受信すると、受信した利用者ＩＤに基づき、前記住居情報記憶手段から前記住居に関する情報を読み出して、読み出した当該情報を第２の情報記憶媒体に対する情報として玄関ドア周辺領域に発信し、
前記第２の情報記憶媒体は、
前記乗用車のドアロックの開錠を要求する開錠要求信号を記憶するとともに、前記住居に関する情報を前記情報収集装置から情報受信手段によって受信すると、受信した当該情報を記憶する情報記憶手段と、
前記開錠要求信号の出力指示を受け付けると、前記情報記憶手段から前記開錠要求信号とともに前記住居に関する情報を前記情報記憶手段から読み出して、読み出した当該情報を前記乗用車内情報処理装置に送信する情報送信手段とを備え、
前記乗用車内情報処理装置は、
前記第２の情報記憶媒体から前記開錠要求信号とともに前記住居に関する情報を受信する信号受信手段と、
前記開錠要求信号を前記信号受信手段によって受信すると、受信した前記開錠要求信号と照合するための認証情報を認証情報記憶部から読み込んで、読み込んだ前記認証情報と受信した前記開錠要求信号とを照合する信号照合手段と、
前記信号照合手段によって前記開錠要求信号が適正であると判断されたときには、前記で受信した前記住居に関する情報を前記乗用車の外部に出力する情報出力手段とを備えることを特徴とする情報提供システム。
【請求項７】
前記第１の情報記憶媒体は、前記第２の情報記憶媒体に含まれていることを特徴とする請求項６に記載の情報提供システム。
【請求項８】
前記情報収集装置は、前記情報発信手段が発信した信号に応じた前記情報記憶媒体から利用者ＩＤを信号受信手段によって受信すると、受信した前記利用者ＩＤと照合するための認証情報を認証情報記憶部から読み込んで、読み込んだ前記認証情報と受信した前記利用者ＩＤとを照合する信号照合手段をさらに備え、
前記情報収集装置の前記情報発信手段は、前記信号照合手段によって前記利用者ＩＤが適正であると判断されたときに、当該利用者ＩＤに基づき、前記住居情報記憶手段から前記住居に関する情報を読み出して、読み出した当該情報を情報記憶媒体に対する情報として玄関ドア周辺領域に発信することを特徴とする請求項６または７に記載の情報提供システム。
【請求項９】
前記外出行為検知信号を出力する前記検知手段は、前記玄関ドアの内側に設置された取っ手が操作されたことによって、該玄関ドアがあらかじめ定める一定範囲以上開いたことを検知した場合に、前記外出行為検知信号を出力することを特徴とする前記情報収集装置を用いた請求項４〜８のいずれかに記載の情報提供システム。
【請求項１０】
住居に設置され、該住居に関する情報を収集する情報収集装置から前記情報を受信し、受信した当該情報を利用者に乗用車を介して提供するために、該乗用車に搭載された乗用車内情報処理装置を用いた情報提供システムであって、
前記乗用車内情報処理装置は、
前記乗用車のドアロックの開錠を要求する開錠要求信号を受信する信号受信手段と、
前記開錠要求信号を前記信号受信手段によって受信すると、受信した前記開錠要求信号と照合するための認証情報を認証情報記憶部から読み込んで、読み込んだ前記認証情報と受信した前記開錠要求信号とを照合する信号照合手段と、
前記信号照合手段によって前記開錠要求信号が適正であると判断されたときには、前記住居に関する情報の返信を要求する返信要求情報を前記情報収集装置に送信する情報送信手段と、
前記住居に関する情報を前記情報収集装置から情報受信手段によって受信すると、受信した当該情報を前記乗用車の外部に出力する情報出力手段とを備えることを特徴とする情報提供システム。
【請求項１１】
住居に設置され、該住居に関する情報を収集する情報収集装置から前記情報を受信し、受信した当該情報を利用者に乗用車を介して提供するために、該乗用車に搭載された乗用車内情報処理装置を用いた情報提供システムであって、
前記乗用車内情報処理装置は、
前記住居に関する情報を前記情報収集装置から情報受信手段によって受信すると、受信した当該情報を記憶する受信情報記憶手段と、
前記乗用車のドアロックの開錠を要求する開錠要求信号を受信する信号受信手段と、
前記開錠要求信号を前記信号受信手段によって受信すると、受信した前記開錠要求信号と照合するための認証情報を認証情報記憶部から読み込んで、読み込んだ前記認証情報と受信した前記開錠要求信号とを照合する信号照合手段と、
前記信号照合手段によって前記開錠要求信号が適正であると判断されたときには、前記住居に関する情報を前記受信情報記憶手段から読み込んで、読み込んだ当該情報を前記乗用車の外部に出力する情報出力手段とを備えることを特徴とする情報提供システム。
【請求項１２】
請求項１〜１１のいずれかに記載の情報提供システムの前記乗用車内情報処理装置が前記乗用車の外部に出力した情報に対応する操作を、前記住居に設置された操作対象に対して実行する制御装置を用いた制御システムであって、
前記制御装置は、
前記操作対象に対する操作信号を前記利用者が所持する携帯情報入力機器から受信すると、受信した操作信号に基づいて前記操作対象の操作を実行する操作実行手段と、
前記操作実行手段によって実行された、前記操作対象に対する操作結果情報を前記センシング機器から取得する操作結果取得手段と、
前記操作結果取得手段が取得した前記操作結果情報を前記乗用車内情報処理装置に送信する情報送信手段とを備え、
前記乗用車内情報処理装置は、前記操作結果情報を前記制御装置から受信すると、受信した当該情報を前記情報出力手段から出力することを特徴とする制御システム。
【請求項１３】
請求項１〜１１のいずれかに記載の情報提供システムの前記乗用車内情報処理装置が前記乗用車の外部に出力した情報に対応する操作を、前記住居に設置された操作対象に対して実行する制御装置を用いた制御システムであって、
前記制御装置は、
利用者ＩＤとともに前記操作対象に対する操作信号を前記利用者が所持する携帯情報入力機器から受信すると、受信した前記利用者ＩＤと照合するための認証情報を認証情報記憶部から読み込んで、読み込んだ前記認証情報と受信した前記利用者ＩＤとを照合する信号照合手段と、
前記信号照合手段によって前記利用者ＩＤが適正であると判断されたときには、受信した操作信号に基づいて前記操作対象の操作を実行する操作実行手段と、
前記操作実行手段によって実行された、前記操作対象に対する操作結果情報を前記センシング機器から取得する操作結果取得手段と、
前記操作結果取得手段が取得した前記操作結果情報を前記乗用車内情報処理装置に送信する情報送信手段とを備え、
前記乗用車内情報処理装置は、前記操作結果情報を前記制御装置から受信すると、受信した当該情報を前記情報出力手段から出力することを特徴とする制御システム。
【請求項１４】
請求項１〜１１のいずれかに記載の情報提供システムの前記乗用車内情報処理装置が前記乗用車の外部に出力した情報に対応する操作を、前記住居に設置された操作対象に対して実行する制御装置を用いた制御システムであって、
前記制御装置は、
前記操作対象に対する操作信号を前記乗用車内情報処理装置から受信すると、受信した操作信号に基づいて前記操作対象の操作を実行する操作実行手段と、
前記操作実行手段によって実行された、前記操作対象に対する操作結果情報を前記センシング機器から取得する操作結果取得手段と、
前記操作結果取得手段が取得した前記操作結果情報を前記乗用車内情報処理装置に送信する情報送信手段とを備え、
前記乗用車内情報処理装置は、利用者ＩＤとともに前記操作対象に対する操作信号を前記利用者が所持する携帯情報入力機器から受信すると、受信した前記利用者ＩＤと照合するための認証情報を認証情報記憶部から読み込んで、読み込んだ前記認証情報と受信した前記利用者ＩＤとを前記信号照合手段によって照合し、
前記乗用車内情報処理装置は、前記信号照合手段によって前記利用者ＩＤが適正であると判断されたときには、前記で受信した前記操作信号を前記制御装置に送信し、
前記乗用車内情報処理装置は、前記操作結果情報を前記制御装置から受信すると、受信した当該情報を前記情報出力手段から出力することを特徴とする制御システム。
【請求項１５】
請求項１〜１１のいずれかに記載の情報提供システムの前記乗用車内情報処理装置が前記乗用車の外部に出力した情報に対応する操作を、前記住居に設置された操作対象に対して実行する制御装置を用いた制御システムであって、
前記制御装置は、
前記操作対象に対する操作信号を前記乗用車内情報処理装置から受信すると、受信した操作信号に基づいて前記操作対象の操作を実行する操作実行手段と、
前記操作実行手段によって実行された、前記操作対象に対する操作結果情報を前記センシング機器から取得する操作結果取得手段と、
前記操作結果取得手段が取得した前記操作結果情報を前記乗用車内情報処理装置に送信する情報送信手段とを備え、
前記乗用車内情報処理装置は、利用者ＩＤとともに前記操作対象に対する操作信号を前記利用者が所持する携帯情報入力機器から受信すると、受信した前記利用者ＩＤと照合するための認証情報を認証情報記憶部から読み込んで、読み込んだ前記認証情報と受信した前記利用者ＩＤとを前記信号照合手段によって照合し、
前記乗用車内情報処理装置は、前記信号照合手段によって前記利用者ＩＤが適正であると判断されたときには、前記で受信した前記操作信号を前記情報出力部に出力した前記住居に関する情報に対する操作信号として前記制御装置に送信し、
前記乗用車内情報処理装置は、前記操作結果情報を前記制御装置から受信すると、受信した当該情報を前記情報出力手段から出力することを特徴とする制御システム。
【請求項１６】
前記乗用車内情報処理装置は、前記乗用車の動力部の始動を検知すると、前記携帯情報入力機器からの前記操作信号の受信を停止することを特徴とする請求項１４または１５に記載の制御システム。
【請求項１７】
住居に設置され、該住居に関する情報を収集する情報収集装置から情報を受信し、受信した当該情報を利用者に乗用車を介して提供するために、該乗用車に搭載された乗用車内情報処理装置を用いた情報提供方法であって、
前記情報収集装置は、前記住居に設置されたセンシング機器から前記住居に関する情報を情報収集手段によって収集して、当該情報を住居情報記憶手段に記憶し、
前記情報収集装置は、前記住居の玄関ドアが前記住居の外側から施錠された後に、施錠後の前記玄関ドアの外側に設置された取っ手が操作されたことを示す施錠確認行為検知信号を前記玄関ドアに設置された検知手段から受信すると、前記住居情報記憶手段から前記住居に関する情報を読み出して、読み出した当該情報を前記乗用車内情報処理装置に送信し、
前記乗用車内情報処理装置は、前記住居に関する情報を前記情報収集装置から情報受信手段によって受信すると、受信した当該情報を受信情報記憶手段に記憶し、
前記乗用車内情報処理装置は、前記乗用車のドアロックの開錠を要求する開錠要求信号を信号受信手段によって受信すると、受信した前記開錠要求信号と照合するための認証情報を認証情報記憶部から読み込んで、読み込んだ前記認証情報と受信した前記開錠要求信号とを信号照合手段によって照合し、
前記乗用車内情報処理装置は、前記信号照合手段によって前記開錠要求信号が適正であると判断されたときには、前記住居に関する情報を前記受信情報記憶手段から読み込んで、読み込んだ当該情報を前記乗用車の外部に情報出力手段から出力することを特徴とする情報提供方法。
【請求項１８】
住居に設置され、該住居に関する情報を収集する情報収集装置から情報を受信し、受信した当該情報を利用者に乗用車を介して提供するために、該乗用車に搭載された乗用車内情報処理装置を用いた情報提供方法であって、
前記情報収集装置は、前記住居に設置されたセンシング機器から前記住居に関する情報を情報収集手段によって収集して、当該情報を住居情報記憶手段に記憶し、
前記情報収集装置は、前記住居の玄関ドアが前記住居の外側から施錠された後に、施錠後の前記玄関ドアの外側に設置された取っ手が操作されたことを示す施錠確認行為検知信号を前記玄関ドアに設置された検知手段から受信すると、前記住居情報記憶手段から前記住居に関する情報を読み出して、読み出した当該情報を情報記憶媒体に対する情報として玄関ドア周辺領域に情報発信手段によって発信し、
前記情報記憶媒体は、前記住居に関する情報を前記情報収集装置から情報受信手段によって受信すると、受信した当該情報を、前記乗用車のドアロックの開錠を要求する開錠要求信号を記憶する情報記憶手段に記憶し、
前記情報記憶媒体は、前記開錠要求信号の出力指示を受け付けると、前記情報記憶手段から前記開錠要求信号とともに前記住居に関する情報を前記情報記憶手段から読み出して、読み出した当該情報を前記乗用車内情報処理装置に送信し、
前記乗用車内情報処理装置は、前記開錠要求信号とともに前記住居に関する情報を前記情報記憶媒体から信号受信手段によって受信すると、受信した前記開錠要求信号と照合するための認証情報を認証情報記憶部から読み込んで、読み込んだ前記認証情報と受信した前記開錠要求信号とを信号照合手段によって照合し、
前記情報記憶媒体は、前記信号照合手段によって前記開錠要求信号が適正であると判断されたときには、前記で受信した前記住居に関する情報を前記乗用車の外部に情報出力手段から出力することを特徴とする情報提供方法。
【請求項１９】
前記施錠確認行為検知信号を出力する前記検知手段は、前記住居の玄関ドアが前記住居の外側から施錠された後に、施錠後の前記玄関ドアの外側に設置された取っ手が操作されたが、該玄関ドアが開かなかったことを検知した場合に、前記施錠確認行為検知信号を出力することを特徴とする前記情報収集装置を用いた請求項１７または１８に記載の情報提供方法。
【請求項２０】
住居に設置され、該住居に関する情報を収集する情報収集装置から情報を受信し、受信した当該情報を利用者に乗用車を介して提供するために、該乗用車に搭載された乗用車内情報処理装置を用いた情報提供方法であって、
前記情報収集装置は、前記住居に設置されたセンシング機器から前記住居に関する情報を情報収集手段によって収集して、当該情報を住居情報記憶手段に記憶し、
前記情報収集装置は、前記利用者が前記玄関から外出したことを示す外出行為検知信号を前記玄関ドアに設置された検知手段から受信すると、前記利用者の所持する情報記憶媒体に対して利用者ＩＤの返信を要求する返信要求信号を前記玄関ドア周辺領域に情報発信手段によって発信し、
前記情報収集装置は、前記情報発信手段が発信した信号に応じた前記情報記憶媒体から利用者ＩＤを信号受信手段によって受信すると、受信した利用者ＩＤに基づき、前記住居情報記憶手段から前記住居に関する情報を読み出して、読み出した当該情報を前記乗用車内情報処理装置に送信し、
前記乗用車内情報処理装置は、前記住居に関する情報を前記情報収集装置から情報受信手段によって受信すると、受信した当該情報を受信情報記憶手段に記憶し、
前記乗用車内情報処理装置は、前記乗用車のドアロックの開錠を要求する開錠要求信号を信号受信手段によって受信すると、受信した前記開錠要求信号と照合するための認証情報を認証情報記憶部から読み込んで、読み込んだ前記認証情報と受信した前記開錠要求信号とを信号照合手段によって照合し、
前記乗用車内情報処理装置は、前記信号照合手段によって前記開錠要求信号が適正であると判断されたときには、前記住居に関する情報を前記受信情報記憶手段から読み込んで、読み込んだ当該情報を前記乗用車の外部に情報出力手段から出力することを特徴とする情報提供方法。
【請求項２１】
前記情報収集装置は、前記情報発信手段が発信した信号に応じた前記情報記憶媒体から利用者ＩＤを信号受信手段によって受信すると、受信した前記利用者ＩＤと照合するための認証情報を認証情報記憶部から読み込んで、読み込んだ前記認証情報と受信した前記利用者ＩＤとを信号照合手段によって照合し、
前記情報収集装置の前記情報送信手段は、前記信号照合手段によって前記利用者ＩＤが適正であると判断されたときに、当該利用者ＩＤに基づき、前記住居情報記憶手段から前記住居に関する情報を読み出して、読み出した当該情報を前記乗用車内情報処理装置に送信することを特徴とする請求項２０に記載の情報提供方法。
【請求項２２】
住居に設置され、該住居に関する情報を収集する情報収集装置から情報を受信し、受信した当該情報を利用者に乗用車を介して提供するために、該乗用車に搭載された乗用車内情報処理装置を用いた情報提供方法であって、
前記情報収集装置は、前記住居に設置されたセンシング機器から前記住居に関する情報を情報収集手段によって収集して、当該情報を住居情報記憶手段に記憶し、
前記情報収集装置は、前記利用者が前記玄関から外出したことを示す外出行為検知信号を前記玄関ドアに設置された検知手段から受信すると、前記利用者の所持する第１の情報記憶媒体に対して利用者ＩＤの返信を要求する返信要求信号を前記玄関ドア周辺領域に情報発信手段によって発信し、
前記情報収集装置は、前記情報発信手段が発信した信号に応じた前記第１の情報記憶媒体から利用者ＩＤを信号受信手段によって受信すると、受信した利用者ＩＤに基づき、前記住居情報記憶手段から前記住居に関する情報を読み出して、読み出した当該情報を第２の情報記憶媒体に対する情報として玄関ドア周辺領域に情報発信手段によって発信し、
前記第２の情報記憶媒体は、前記住居に関する情報を前記情報収集装置から情報受信手段によって受信すると、受信した当該情報を、前記乗用車のドアロックの開錠を要求する開錠要求信号を記憶する情報記憶手段に記憶し、
前記第２の情報記憶媒体は、前記開錠要求信号の出力指示を受け付けると、前記情報記憶手段から前記開錠要求信号とともに前記住居に関する情報を前記情報記憶手段から読み出して、読み出した当該情報を前記乗用車内情報処理装置に送信し、
前記乗用車内情報処理装置は、前記第２の情報記憶媒体から前記開錠要求信号とともに前記住居に関する情報を前記信号受信手段によって受信すると、受信した前記開錠要求信号と照合するための認証情報を認証情報記憶部から読み込んで、読み込んだ前記認証情報と受信した前記開錠要求信号とを信号照合手段によって照合し、
前記乗用車内情報処理装置は、前記信号照合手段によって前記開錠要求信号が適正であると判断されたときには、前記で受信した前記住居に関する情報を前記乗用車の外部に情報出力手段から出力することを特徴とする情報提供方法。
【請求項２３】
前記第１の情報記憶媒体は、前記第２の情報記憶媒体に含まれていることを特徴とする請求項２２に記載の情報提供方法。
【請求項２４】
前記情報収集装置は、前記情報発信手段が発信した信号に応じた前記情報記憶媒体から利用者ＩＤを信号受信手段によって受信すると、受信した前記利用者ＩＤと照合するための認証情報を認証情報記憶部から読み込んで、読み込んだ前記認証情報と受信した前記利用者ＩＤとを信号照合手段によって照合し、
前記情報収集装置の前記情報発信手段は、前記信号照合手段によって前記利用者ＩＤが適正であると判断されたときに、当該利用者ＩＤに基づき、前記住居情報記憶手段から前記住居に関する情報を読み出して、読み出した当該情報を情報記憶媒体に対する情報として玄関ドア周辺領域に発信することを特徴とする請求項２２または２３に記載の情報提供方法。
【請求項２５】
前記外出行為検知信号を出力する前記検知手段は、前記玄関ドアの内側に設置された取っ手が操作されたことによって、該玄関ドアがあらかじめ定める一定範囲以上開いたことを検知した場合に、前記外出行為検知信号を出力することを特徴とする前記情報収集装置を用いた請求項２０〜２４のいずれかに記載の情報提供方法。
【請求項２６】
住居に設置され、該住居に関する情報を収集する情報収集装置から前記情報を受信し、受信した当該情報を利用者に乗用車を介して提供するために、該乗用車に搭載された乗用車内情報処理装置を用いた情報提供システムであって、
前記乗用車内情報処理装置は、前記乗用車のドアロックの開錠を要求する開錠要求信号を信号受信手段によって受信すると、受信した前記開錠要求信号と照合するための認証情報を認証情報記憶部から読み込んで、読み込んだ前記認証情報と受信した前記開錠要求信号とを信号照合手段によって照合し、
前記乗用車内情報処理装置は、前記信号照合手段によって前記開錠要求信号が適正であると判断されたときには、前記住居に関する情報の返信を要求する返信要求情報を前記情報収集装置に送信し、
前記乗用車内情報処理装置は、前記住居に関する情報を前記情報収集装置から情報受信手段によって受信すると、受信した当該情報を前記乗用車の外部に情報出力手段から出力することを特徴とする情報提供方法。
【請求項２７】
住居に設置され、該住居に関する情報を収集する情報収集装置から前記情報を受信し、受信した当該情報を利用者に乗用車を介して提供するために、該乗用車に搭載された乗用車内情報処理装置を用いた情報提供システムであって、
前記乗用車内情報処理装置は、前記住居に関する情報を前記情報収集装置から情報受信手段によって受信すると、受信した当該情報を受信情報記憶手段に記憶し、
前記乗用車内情報処理装置は、前記乗用車のドアロックの開錠を要求する開錠要求信号を信号受信手段によって受信すると、受信した前記開錠要求信号と照合するための認証情報を認証情報記憶部から読み込んで、読み込んだ前記認証情報と受信した前記開錠要求信号とを信号照合手段によって照合し、
前記乗用車内情報処理装置は、前記信号照合手段によって前記開錠要求信号が適正であると判断されたときには、前記住居に関する情報を前記受信情報記憶手段から読み込んで、読み込んだ当該情報を前記乗用車の外部に情報出力手段から出力することを特徴とする情報提供方法。
【請求項２８】
請求項１７〜２７のいずれかに記載の情報提供方法が用いる情報提供システムが前記乗用車の外部に出力した情報に対応する操作を、前記住居に設置された操作対象に対して実行する制御装置を用いた制御方法であって、
前記制御装置は、前記操作対象に対する操作信号を前記利用者が所持する携帯情報入力機器から受信すると、受信した操作信号に基づいて前記操作対象の操作を操作実行手段によって実行し、
前記制御装置は、前記操作実行手段によって実行された、前記操作対象に対する操作結果情報を前記センシング機器から取得し、取得した前記操作結果情報を前記乗用車内情報処理装置に送信し、
前記乗用車内情報処理装置は、前記操作結果情報を前記制御装置から受信すると、受信した当該情報を前記情報出力手段から出力することを特徴とする制御方法。
【請求項２９】
請求項１７〜２７のいずれかに記載の情報提供方法が用いる情報提供システムが前記乗用車の外部に出力した情報に対応する操作を、前記住居に設置された操作対象に対して実行する制御装置を用いた制御方法であって、
前記制御装置は、利用者ＩＤとともに前記操作対象に対する操作信号を前記利用者が所持する携帯情報入力機器から受信すると、受信した前記利用者ＩＤと照合するための認証情報を認証情報記憶部から読み込んで、読み込んだ前記認証情報と受信した前記利用者ＩＤとを信号照合手段によって照合し、
前記制御装置は、前記信号照合手段によって前記利用者ＩＤが適正であると判断されたときには、受信した操作信号に基づいて前記操作対象の操作を操作実行手段によって実行し、
前記制御装置は、前記操作実行手段によって実行された、前記操作対象に対する操作結果情報を前記センシング機器から取得し、取得した前記操作結果情報を前記乗用車内情報処理装置に送信し、
前記乗用車内情報処理装置は、前記操作結果情報を前記制御装置から受信すると、受信した当該情報を前記情報出力手段から出力することを特徴とする制御方法。
【請求項３０】
請求項１７〜２７のいずれかに記載の情報提供方法が用いる情報提供システムが前記乗用車の外部に出力した情報に対応する操作を、前記住居に設置された操作対象に対して実行する制御装置を用いた制御方法であって、
前記乗用車内情報処理装置は、利用者ＩＤとともに前記操作対象に対する操作信号を前記利用者が所持する携帯情報入力機器から受信すると、受信した前記利用者ＩＤと照合するための認証情報を認証情報記憶部から読み込んで、読み込んだ前記認証情報と受信した前記利用者ＩＤとを前記信号照合手段によって照合し、
前記乗用車内情報処理装置は、前記信号照合手段によって前記利用者ＩＤが適正であると判断されたときには、前記で受信した前記操作信号を前記制御装置に送信し、
前記制御装置は、前記操作対象に対する操作信号を前記乗用車内情報処理装置から受信すると、受信した操作信号に基づいて前記操作対象の操作を操作実行手段によって実行し、
前記制御装置は、前記操作実行手段によって実行された、前記操作対象に対する操作結果情報を前記センシング機器から取得し、取得した前記操作結果情報を前記乗用車内情報処理装置に送信し、
前記乗用車内情報処理装置は、前記操作結果情報を前記制御装置から受信すると、受信した当該情報を前記情報出力手段から出力することを特徴とする制御方法。
【請求項３１】
請求項１７〜２７のいずれかに記載の情報提供方法が用いる情報提供システムが前記乗用車の外部に出力した情報に対応する操作を、前記住居に設置された操作対象に対して実行する制御装置を用いた制御方法であって、
前記乗用車内情報処理装置は、利用者ＩＤとともに前記操作対象に対する操作信号を前記利用者が所持する携帯情報入力機器から受信すると、受信した前記利用者ＩＤと照合するための認証情報を認証情報記憶部から読み込んで、読み込んだ前記認証情報と受信した前記利用者ＩＤとを前記信号照合手段によって照合し、
前記乗用車内情報処理装置は、前記信号照合手段によって前記利用者ＩＤが適正であると判断されたときには、前記で受信した前記操作信号を、前記で前記情報出力部に出力した前記住居に関する情報に対する操作信号として前記制御装置に送信し、
前記制御装置は、前記操作対象に対する操作信号を前記乗用車内情報処理装置から受信すると、受信した操作信号に基づいて前記操作対象の操作を操作実行手段によって実行し、
前記制御装置は、前記操作実行手段によって実行された、前記操作対象に対する操作結果情報を前記センシング機器から取得し、取得した前記操作結果情報を前記乗用車内情報処理装置に送信し、
前記乗用車内情報処理装置は、前記操作結果情報を前記制御装置から受信すると、受信した当該情報を前記情報出力手段から出力することを特徴とする制御方法。
【請求項３２】
前記乗用車内情報処理装置は、前記乗用車の動力部の始動を検知すると、前記携帯情報入力機器からの前記操作信号の受信を停止することを特徴とする請求項３０または３１に記載の制御方法。
【発明の詳細な説明】
【技術分野】
【０００１】
本発明は、情報提供、特に住居の情報を乗用車のドアロック開錠時に提供するシステム及び方法に関する。
【背景技術】
【０００２】
外出先などから玄関ドアの施錠確認をする先行特許文献として、特開２００２−２４２５０２号公報が挙げられる。この特許文献には、玄関ドアなどに設置された電子錠に対して利用者が所持する利用者端末から遠隔操作で施錠／開錠の状態確認と操作を実行する技術が開示されている。具体的には、利用者端末に電子錠を操作するための暗証番号があらかじめ記憶されており、この端末で電子錠制御装置にアクセスすると、電子錠制御装置と利用者端末との間で暗証番号の送受信が自動的に実行されることによって、暗証番号を入力する手間が省けるものではあるが、電子錠を操作するためには電子錠の状態を示す情報の取得が必要となる。つまり、電子錠を操作するにも情報を取得するにも、利用者がわざわざ利用者端末を用いてそれぞれの操作しなければならないという不便さが残る。
【０００３】
乗用車側から住居を遠隔的に監視する先行特許文献として、特開２０００−２０９６７４号公報が挙げられる。この先行特許文献には、乗用車内に設置された端末から住居内サーバに情報の収集を指示し、住居内サーバは指示に従い収集した情報を乗用車に返信する技術が開示されている。具体的には、携帯電話などの利用者端末から実行していた操作を乗用車内に設置された端末から実行するものであり、利用者端末の機能を乗用車内に持たせたに過ぎない。携帯性に優れた利用者端末で出来ることをなぜ乗用車からしなければならないかという疑問が残るだけでなく、情報取得のための指示を利用者がわざわざ乗用車内に設置された端末を用いて入力しなければならないという不便さがある。
【０００４】
つまり、この先行特許文献には、乗用車側または住居側で個別に収集した情報を相互に利用できるシステムによって、「例えば、家族で車両に乗ってホームから離れる事態を想定した場合、留守宅に残してきた犬猫等のペットの状態、照明等の家電機器の稼働状態、さらには玄関ドア鍵の施錠状態を知りたい、又は留守宅に来訪者がやってきたときに車両側からこれに応対したいなどの種々の要望」に応えることが出来る旨が記載されている。家電機器の稼動状況や玄関ドア鍵の施錠状態を知りたければ利用者端末を用いればよく、利用者端末であれば乗用車から離れた場合にも操作が出来る。留守宅への来訪者がやってきたときには来訪者の情報を利用者端末に送信すればよく、どうしても来訪者と通話をしなければならないのなら、通話機能を備えた利用者端末として携帯電話がある。さらにペットの状態がそれほどまでに気になるのなら、乗用車で外出する利点を活かして気になるペットを連れてこればよい。
【０００５】
乗用車から情報を出力する先行特許文献として、特許２９６４３７６号明細書が挙げられる。この先行特許文献には、乗用車の各部について異常を検知した場合には、運転席側のドアハンドルに設置された表示装置にドアの開錠に応じて検知した異常を通知する情報を表示する技術が開示されている。ただし、この技術は乗用車に生じた異常をその乗用車に乗る前に通知するためのものに過ぎない。
【０００６】
【特許文献１】特開２００２−２４２５０２号公報
【特許文献２】特開２０００−２０９６７４号公報
【特許文献３】特許２９６４３７６号明細書
【発明の開示】
【発明が解決しようとする課題】
【０００７】
玄関ドアを住居の外側から施錠することは、その人が出掛けること（外出すること）を意味する。心配性な人は外出する際に玄関ドアを施錠した後、実際に玄関ドアを開ける行為をしてみて開かないことを確認する傾向があり、この行為は玄関ドアのカギがちゃんと施錠されたかどうかを確認する行為（施錠確認行為）に相当する。
【０００８】
ところが、このような確認行為はそのうち「慣れ」となってしまい、いつしか無意識のうちに施錠確認行為をするようになる。外出する際に何か別の気にかかることがあるとなおさら、そっちの方に気を取られ、施錠確認行為をした上で玄関ドアを離れたにも関わらず、当の本人はその行為を行ったかどうかを覚えていない。すると、何かの拍子で我に返り、ちゃんと玄関ドアを施錠したのかが心配になって、一旦玄関ドアを離れた後に再び施錠確認に戻ってくることになる。もちろん、再び施錠を確認しに戻ってきても実際は施錠されていることがほとんどではあるが、心配性の人というのは、一度（ひとたび）何かが気になってしまうと、気になる対象を自ら確認しないことには次の行動に移れない習性がある。
【０００９】
ただし、このような（気になることに対して安心しないと次の行動に移りにくいという）習性は特異なものではなく、誰しも多かれ少なかれ持ち合わせており、二度手間になったとしても安心しないままにいられない傾向が人にはある。バブル崩壊後の長引く不況で経済の悪化に伴った犯罪急増によって、窃盗に関するニュースが頻繁に流れる今日（こんにち）では、心配性の人でなくても防犯に対する関心度は非常に高まっている。
【００１０】
そこで、外出先などから玄関ドアの施錠確認をする先行特許文献には、例えば特開２００２−２４２５０２号公報があり、この特許文献には、玄関ドアなどに設置された電子錠に対して利用者が所持する利用者端末から施錠／開錠の状態確認と遠隔操作の実行をする技術が開示されている。ところが、（玄関ドアまでの距離が比較的近いような）玄関ドアに戻りやすい範囲であれば、利用者端末から電子錠にアクセスして確認するまでに要する通信時間や通信費をもったいない、利用者端末で確認するより戻った方が早いし安いと思う心理から、実際には（利用者端末を利用せずに）自ら確認しに玄関ドアの前まで戻ることとなる。
【００１１】
この通信時間には、利用者端末が正規の利用者の所持するものであるかを認証に要する時間を含み、状態確認や操作実行のために要する時間よりも認証に要する時間の方が長いこともしばしばである。また、通信費は電話会社の通話回線やパケット送信回線などの外部の通信網を用いることで発生し、この通信費もバカにならない。つまり、別の言い方をすれば、せっかくのシステムも使われなければその効果を発揮しようがないことが問題であった。利用者端末を操作しているより、玄関ドアまで戻った方が早ければ（玄関ドアまで戻った方がなおかつ安ければ）、世の中でそのシステムが使われないのは道理でもある。
【課題を解決するための手段】
【００１２】
人が我に帰るのは次の行為に移るときであったりする。例えば、住居から乗用車で外出する場合は、乗用車のドアロックを開錠するときがそれに相当する。なぜ乗用車のドアロックを開錠するときに「ハッ！」と我に返るのかには諸説あるが、この場合一旦、乗用車に乗って出発してしまうと戻ってくるまでに多くの時間を要してしまうため、これまでの経験に基づいて無意識に「待てよ、何か忘れていることはないかな」などと考えるためだとも言われている。
【００１３】
本発明の本質は、住居から乗用車で外出する場合に利用者が最も我に帰りやすいタイミングとなる「乗用車のドアロックが開錠」された／されようとした際に、「住居に関する情報」をその乗用車の外部に向けて乗用車内情報処理装置が情報出力手段から出力することである。情報出力手段から出力される情報は、文字や絵などの視覚情報であっても、音声などの聴覚情報であってもよい。
【００１４】
住居に関する情報の提供に利用者端末を用いると、利用者端末から何らかの情報を出力することを通知する通知情報によって、まず利用者に衣服のポケットやカバンなどから利用者端末を取り出させる必要があり、その時間と手間が掛かるが、これは利用者端末の携帯性ゆえのことである。本発明では、利用者がどうにも携帯することのできない乗用車から情報を出力することによって、利用者端末を取り出す時間と手間を省くことが出来る。乗用車は取り出さずとも、利用者が乗用車で外出する場合には、必ず利用者の前に存在する。つまり、利用者は乗用車に乗って外出する自らの意志によってその乗用車に近づいてくるので、乗用車の外部に情報出力手段から情報を出力することによって、必ず利用者の目の前に情報を出力させることが出来る。なお、利用者がどの乗用車に乗って外出しようとしているかは、その利用者がどの乗用車のドアロックを開錠しようとしたかで検知することが出来る。乗用車のドアロック開錠処理を情報提供に用いれば、利用者の目の前を外すことはない。
【００１５】
なお、利用者は、様々な方向から乗用車に近づくことがあるので、乗用車に対してどの方向から、つまり乗用車の前面からなのか右側面なのか左側面なのか、それとも後面なのかを検知して、利用者を検知した側に設置された情報出力手段を用いて情報を出力するとよい。
【００１６】
ところで、住居に関する情報は乗用車に乗る前の利用者に提供することが大切であり、乗用車のドアロックが開錠された／されようとした際とは、利用者にとって乗用車に乗り込む前に相当する。乗用車に乗り込む前であれば、利用者は住居にすぐ戻ることも出来るが、一旦乗用車に乗り込んでしまうとまた降りる手間が発生してしまう。そこで、本発明では、この乗用車のドアロック開錠処理を、住居から乗用車で外出しようとしている利用者が最も我に返りやすいタイミングの見計らいに用いているので、利用者が「ハッ！」と我に返った正にその瞬間に合わせて、その利用者がそのとき最も気になっている住居に関する情報を、その利用者に情報取得のための操作を新たにさせなくとも提供することが出来る。つまり、利用者は乗用車のドアロックを開錠しようとするだけで、外出する際に気になりがちな住居に関する情報を得ることが出来る。
【００１７】
なお、本発明のように利用者が乗用車に乗り込む前に、住居に関する情報を利用者に提供すると、利用者は乗用車に乗らずに住居にもう一度戻ることもあるので、住居に関する情報を乗用車から出力する場合には、乗用車のドアロックに対して開錠指示を受け付けてもドアロックを開錠せずに、再度の開錠指示を受け付けてからドアロックを開錠するようにしてもよい。乗用車のドアロックに対して再度の開錠指示（住居に関する情報を情報出力手段に出力した後の開錠指示）を受け付けたということは、利用者が「住居に戻る必要がないので乗用車に乗りたい」という意志を情報提供システムに対して示したことを意味している。
【００１８】
本発明は、「住居に設置され、該住居に関する情報を収集する情報収集装置から情報を受信し、受信した当該情報を利用者に乗用車を介して提供するために、該乗用車に搭載された乗用車内情報処理装置を用いて、前記情報収集装置は、前記住居に設置されたセンシング機器から前記住居に関する情報を情報収集手段によって収集して、当該情報を住居情報記憶手段に記憶し、前記情報収集装置は、前記住居の玄関ドアが前記住居の外側から施錠された後に、施錠後の前記玄関ドアの外側に設置された取っ手が操作されたことを示す施錠確認行為検知信号を前記玄関ドアに設置された検知手段から受信すると、前記住居情報記憶手段から前記住居に関する情報を読み出して、読み出した当該情報を前記乗用車内情報処理装置に送信し、前記乗用車内情報処理装置は、前記住居に関する情報を前記情報収集装置から情報受信手段によって受信すると、受信した当該情報を受信情報記憶手段に記憶し、前記乗用車内情報処理装置は、前記乗用車のドアロックの開錠を要求する開錠要求信号を信号受信手段によって受信すると、受信した前記開錠要求信号と照合するための認証情報を認証情報記憶部から読み込んで、読み込んだ前記認証情報と受信した前記開錠要求信号とを信号照合手段によって照合し、前記乗用車内情報処理装置は、前記信号照合手段によって前記開錠要求信号が適正であると判断されたときには、前記住居に関する情報を前記受信情報記憶手段から読み込んで、読み込んだ当該情報を前記乗用車の外部に情報出力手段から出力する」ようにした。
【００１９】
これは、心配性な人（利用者）向けに施錠確認行為の検知を情報提供の起点とする場合である。
【００２０】
ここで言うところの住居に関する情報とは、外出する利用者が住居に関して気になりがちな情報であればよい。利用者が住居に関して気になりがちな情報とは、大別して（１）玄関ドアの施錠や窓の戸締りなど防犯関連情報、（２）ガス器具の動作状況や元栓の開閉など防災関連情報、（３）電灯の点灯／消灯など省エネルギ関連情報、（４）情報家電や炊飯器、クーラなどの利便性関連情報がある。これら住居に関する情報は、住居内に設置されたセンシング機器から収集することが出来る。センシング機器は、住居に関する情報について何らかの物理量やそれらの変化量を検知して電気信号に変換できる機器であれば、その種類は特に問わない。また、ここで言うところの情報収集装置とは、具体的には住居内に設置されたサーバやセンサターミナルのことであるが、住居に関する情報を収集できればその種類は特に問わない。
【００２１】
玄関ドアが施錠されたにも関わらず、施錠後の前記玄関ドアの外側に設置された取っ手が操作されたことを示す施錠確認行為をする利用者は、心配性な利用者であると見なしてよい。つまり、施錠確認行為を検知すれば、心配性な利用者を検知したことになる。施錠確認行為の検知を情報提供の起点として、住居に関する情報を乗用車のドアロックが開錠された／されようとした際に乗用車の外部に向けて出力すれば、心配性な利用者が「ハッ！」と我に返る瞬間に合わせて、心配性な利用者が心配になった情報の提供が可能となる。このように心配性な利用者が我に返ることによって心配になった情報を心配になったときに提供すれば、心配性な利用者であっても安心して外出することが出来る。
【００２２】
なお、住居に関する情報は、乗用車のドアロックが（適正な開錠要求情報によって）正常に開錠された／されようとした場合にしか出力されない。なぜなら、「前記乗用車内情報処理装置は、前記乗用車のドアロックの開錠を要求する開錠要求信号を信号受信手段によって受信すると、受信した前記開錠要求信号と照合するための認証情報を認証情報記憶部から読み込んで、読み込んだ前記認証情報と受信した前記開錠要求信号とを信号照合手段によって照合し、前記乗用車内情報処理装置は、前記信号照合手段によって前記開錠要求信号が適正であると判断されたときには、前記住居に関する情報を前記受信情報記憶手段から読み込んで、読み込んだ当該情報を前記乗用車の外部に情報出力手段から出力する」からである。乗用車内情報処理装置側に備える、この機能構成によって、不要な個人情報がむやみに提供されてしまうことはない。
【００２３】
また、「前記情報収集装置は、前記住居に設置されたセンシング機器から前記住居に関する情報を情報収集手段によって収集して、当該情報を住居情報記憶手段に記憶し、前記情報収集装置は、前記住居の玄関ドアが前記住居の外側から施錠された後に、施錠後の前記玄関ドアの外側に設置された取っ手が操作されたことを示す施錠確認行為検知信号を前記玄関ドアに設置された検知手段から受信すると、前記住居情報記憶手段から前記住居に関する情報を読み出して、読み出した当該情報を情報記憶媒体に対する情報として玄関ドア周辺領域に情報発信手段によって発信し、前記情報記憶媒体は、前記住居に関する情報を前記情報収集装置から情報受信手段によって受信すると、受信した当該情報を、前記乗用車のドアロックの開錠を要求する開錠要求信号を記憶する情報記憶手段に記憶し、前記情報記憶媒体は、前記開錠要求信号の出力指示を受け付けると、前記情報記憶手段から前記開錠要求信号とともに前記住居に関する情報を前記情報記憶手段から読み出して、読み出した当該情報を前記乗用車内情報処理装置に送信し、前記乗用車内情報処理装置は、前記開錠要求信号とともに前記住居に関する情報を前記情報記憶媒体から信号受信手段によって受信すると、受信した前記開錠要求信号と照合するための認証情報を認証情報記憶部から読み込んで、読み込んだ前記認証情報と受信した前記開錠要求信号とを信号照合手段によって照合し、前記情報記憶媒体は、前記信号照合手段によって前記開錠要求信号が適正であると判断されたときには、前記で受信した前記住居に関する情報を前記乗用車の外部に情報出力手段から出力する」ようにしてもよい。
【００２４】
住居に関する情報を情報収集装置から受信する情報記憶媒体は、乗用車内情報処理装置への情報受け渡しを仲介しており、情報収集装置と乗用車内情報処理装置とが直接通信する通信手段がない場合でもこの情報記憶媒体を介して住居に関する情報を受け渡しすることが出来る。なお、乗用車のドアロックを無線で開錠するために情報記憶媒体を用いる場合には、この情報記憶媒体が備える情報記憶領域を一時的に利用してもよく、住居に関する情報を受信した情報記憶媒体は、あらかじめ情報記憶領域に記憶する開錠要求信号とともに住居に関する情報を送信するとよい。乗用車のドアロックを無線で開錠する技術としては、キーレスエントリやパッシブエントリなど呼ばれるシステムがすでに実用化されている。住居に関する情報を乗用車内情報処理装置に対して送信した後の情報記憶媒体は、情報記憶領域に残る住居に関する情報を自動的に消去してもよいし、新たな住居に関する情報を受信した場合に上書き（によって消去）するようにしてもよい。
【００２５】
また、「前記施錠確認行為検知信号を出力する前記検知手段は、前記住居の玄関ドアが前記住居の外側から施錠された後に、施錠後の前記玄関ドアの外側に設置された取っ手が操作されたが、該玄関ドアが開かなかったことを検知した場合に、前記施錠確認行為検知信号を出力する」ようにしてもよい。
【００２６】
施錠確認行為とは、玄関ドアの外側から玄関ドアが施錠されたかどうかを確認する行為であり、施錠されたかどうか確認するのは玄関ドアの施錠後であるのが必然（施錠しなければ確認する必要がない）なので、施錠後の玄関ドアの外側に設置された取っ手が操作されたが、玄関ドアが開かなかったことを検知するとよい。玄関ドアの施錠前に玄関ドアが開くのは玄関ドアとしていわばあたり前であるが、玄関ドアが施錠されたにも関わらず、玄関ドアの取っ手が操作されたことは、利用者に何らかの意図があると判断してよい。こうすることで、玄関ドアの施錠後に玄関ドアの取っ手が操作されたにも関わらず玄関ドアが開かなかったことを検知するのは、施錠確認行為であると見なすことが出来る。
【００２７】
玄関ドアに設置された取っ手が操作されたことの検知方法には、取っ手の機構の動作を検知してもよいし、取っ手を操作したときに発生する音によって検知してもよい。例えば玄関ドアに設置された取っ手が操作されたときに発生するガチャガチャという音から得られる振動波形について特徴量判定すると、検出すべき事象と検出すべきでない事象を分離する特徴量を用いて、取っ手が操作されたことだけでなく、取っ手が操作されたが玄関ドアが開かなかったことまで同時に検知することが出来る。
【００２８】
また、「前記情報収集装置は、前記住居に設置されたセンシング機器から前記住居に関する情報を情報収集手段によって収集して、当該情報を住居情報記憶手段に記憶し、前記情報収集装置は、前記利用者が前記玄関から外出したことを示す外出行為検知信号を前記玄関ドアに設置された検知手段から受信すると、前記利用者の所持する情報記憶媒体に対して利用者ＩＤの返信を要求する返信要求信号を前記玄関ドア周辺領域に情報発信手段によって発信し、前記情報収集装置は、前記情報発信手段が発信した信号に応じた前記情報記憶媒体から利用者ＩＤを信号受信手段によって受信すると、受信した利用者ＩＤに基づき、前記住居情報記憶手段から前記住居に関する情報を読み出して、読み出した当該情報を前記乗用車内情報処理装置に送信し、前記乗用車内情報処理装置は、前記住居に関する情報を前記情報収集装置から情報受信手段によって受信すると、受信した当該情報を受信情報記憶手段に記憶し、前記乗用車内情報処理装置は、前記乗用車のドアロックの開錠を要求する開錠要求信号を信号受信手段によって受信すると、受信した前記開錠要求信号と照合するための認証情報を認証情報記憶部から読み込んで、読み込んだ前記認証情報と受信した前記開錠要求信号とを信号照合手段によって照合し、前記乗用車内情報処理装置は、前記信号照合手段によって前記開錠要求信号が適正であると判断されたときには、前記住居に関する情報を前記受信情報記憶手段から読み込んで、読み込んだ当該情報を前記乗用車の外部に情報出力手段から出力する」ようにしてもよい。
【００２９】
これは利用者が住居から外出する外出行為の検知を情報提供の起点とする場合である。
【００３０】
利用者が利用者ＩＤを記憶する情報記憶媒体を持って玄関ドアを内側から開けると（情報記憶媒体から読み取った利用者ＩＤが示す）利用者が住居から外出すると見なして、住居に関する情報を乗用車内情報処理装置に送信しておく。乗用車内情報処理装置に送信された情報は、乗用車のドアロックが開錠された／されようとした際に乗用車の外側に向けて乗用車内情報処理装置が情報出力手段から出力されるので、万が一、利用者が玄関ドアを閉め忘れて出掛けた場合にも住居に関する情報を利用者に提供できるシステムとなる。
【００３１】
また、「前記情報収集装置は、前記情報発信手段が発信した信号に応じた前記情報記憶媒体から利用者ＩＤを信号受信手段によって受信すると、受信した前記利用者ＩＤと照合するための認証情報を認証情報記憶部から読み込んで、読み込んだ前記認証情報と受信した前記利用者ＩＤとを信号照合手段によって照合し、前記情報収集装置の前記情報送信手段は、前記信号照合手段によって前記利用者ＩＤが適正であると判断されたときに、当該利用者ＩＤに基づき、前記住居情報記憶手段から前記住居に関する情報を読み出して、読み出した当該情報を前記乗用車内情報処理装置に送信する」ようにしてもよい。
【００３２】
本発明の情報提供システムでは、住居に関する情報は、乗用車のドアロックが（適正な開錠要求情報によって）正常に開錠された／されようとした場合にしか出力されないので、不要な個人情報がむやみに提供されてしまうことはないが、利用者ＩＤによって利用者を特定する場合には、（乗用車内情報処理装置に住居に関する情報を送信する）情報収集装置側にも利用者ＩＤを用いた信号照合手段があってもよい。こうすることで、乗用車内情報収集装置側と情報収集装置側との二重のチェックが可能となる。
【００３３】
また、「前記情報収集装置は、前記住居に設置されたセンシング機器から前記住居に関する情報を情報収集手段によって収集して、当該情報を住居情報記憶手段に記憶し、前記情報収集装置は、前記利用者が前記玄関から外出したことを示す外出行為検知信号を前記玄関ドアに設置された検知手段から受信すると、前記利用者の所持する第１の情報記憶媒体に対して利用者ＩＤの返信を要求する返信要求信号を前記玄関ドア周辺領域に情報発信手段によって発信し、前記情報収集装置は、前記情報発信手段が発信した信号に応じた前記第１の情報記憶媒体から利用者ＩＤを信号受信手段によって受信すると、受信した利用者ＩＤに基づき、前記住居情報記憶手段から前記住居に関する情報を読み出して、読み出した当該情報を第２の情報記憶媒体に対する情報として玄関ドア周辺領域に情報発信手段によって発信し、前記第２の情報記憶媒体は、前記住居に関する情報を前記情報収集装置から情報受信手段によって受信すると、受信した当該情報を、前記乗用車のドアロックの開錠を要求する開錠要求信号を記憶する情報記憶手段に記憶し、前記第２の情報記憶媒体は、前記開錠要求信号の出力指示を受け付けると、前記情報記憶手段から前記開錠要求信号とともに前記住居に関する情報を前記情報記憶手段から読み出して、読み出した当該情報を前記乗用車内情報処理装置に送信し、前記乗用車内情報処理装置は、前記第２の情報記憶媒体から前記開錠要求信号とともに前記住居に関する情報を前記信号受信手段によって受信すると、受信した前記開錠要求信号と照合するための認証情報を認証情報記憶部から読み込んで、読み込んだ前記認証情報と受信した前記開錠要求信号とを信号照合手段によって照合し、前記乗用車内情報処理装置は、前記信号照合手段によって前記開錠要求信号が適正であると判断されたときには、前記で受信した前記住居に関する情報を前記乗用車の外部に情報出力手段から出力する」ようにしてもよい。
【００３４】
住居に関する情報を情報収集装置から受信する第２の情報記憶媒体は、乗用車内情報処理装置への情報受け渡しを仲介しており、情報収集装置と乗用車内情報処理装置とが直接通信する通信手段がない場合でもこの第２の情報記憶媒体を介して住居に関する情報を受け渡しすることが出来る。
【００３５】
また、第１の情報記憶媒体は第２の情報記憶媒体と別体であってもよいが、「前記第１の情報記憶媒体は、前記第２の情報記憶媒体に含まれている」ように構成されていてもよい。なお、第２の情報記憶媒体が情報記憶領域に記憶する開錠要求信号を利用者ＩＤとして情報収集装置に送信すると、利用者ＩＤを新たに用意しなくとも済む。
【００３６】
また、「前記情報収集装置は、前記情報発信手段が発信した信号に応じた前記情報記憶媒体から利用者ＩＤを信号受信手段によって受信すると、受信した前記利用者ＩＤと照合するための認証情報を認証情報記憶部から読み込んで、読み込んだ前記認証情報と受信した前記利用者ＩＤとを信号照合手段によって照合し、前記情報収集装置の前記情報発信手段は、前記信号照合手段によって前記利用者ＩＤが適正であると判断されたときに、当該利用者ＩＤに基づき、前記住居情報記憶手段から前記住居に関する情報を読み出して、読み出した当該情報を情報記憶媒体に対する情報として玄関ドア周辺領域に発信する」ようにしてもよい。
【００３７】
本発明の情報提供システムでは、住居に関する情報は、乗用車のドアロックが（適正な開錠要求情報によって）正常に開錠された／されようとした場合にしか出力されないので、不要な個人情報がむやみに提供されてしまうことはないが、利用者ＩＤによって利用者を特定する場合には、（乗用車内情報処理装置に住居に関する情報を送信する）情報収集装置側にも利用者ＩＤを用いた信号照合手段があってもよい。こうすることで、乗用車内情報収集装置側と情報収集装置側との二重のチェックが可能となる。
【００３８】
また、「前記外出行為検知信号を出力する前記検知手段は、前記玄関ドアの内側に設置された取っ手が操作されたことによって、該玄関ドアがあらかじめ定める一定範囲以上開いたことを検知した場合に、前記外出行為検知信号を出力する」ようにしてもよい。
【００３９】
利用者が玄関ドアから外出しようとすると、必然的に利用者が通れるくらいの範囲で玄関ドアが開かれる必要があるので、玄関ドアの内側に設置された取っ手が操作されたことを検知した後に、玄関ドアがあらかじめ定める一定範囲以上開いたことを検知するとよい。
【００４０】
また、「前記乗用車内情報処理装置は、前記乗用車のドアロックの開錠を要求する開錠要求信号を信号受信手段によって受信すると、受信した前記開錠要求信号と照合するための認証情報を認証情報記憶部から読み込んで、読み込んだ前記認証情報と受信した前記開錠要求信号とを信号照合手段によって照合し、前記乗用車内情報処理装置は、前記信号照合手段によって前記開錠要求信号が適正であると判断されたときには、前記住居に関する情報の返信を要求する返信要求情報を前記情報収集装置に送信し、前記乗用車内情報処理装置は、前記住居に関する情報を前記情報収集装置から情報受信手段によって受信すると、受信した当該情報を前記乗用車の外部に情報出力手段から出力する」ようにしてもよい。
【００４１】
これは、利用者によって乗用車のドアロックが開錠された／されようとしたことの検知を情報提供の起点とし、乗用車内情報処理装置からの要求情報に応じて情報取得装置が住居に関する情報を乗用車内情報処理装置に送信する場合である。
【００４２】
また、「前記乗用車内情報処理装置は、前記住居に関する情報を前記情報収集装置から情報受信手段によって受信すると、受信した当該情報を受信情報記憶手段に記憶し、前記乗用車内情報処理装置は、前記乗用車のドアロックの開錠を要求する開錠要求信号を信号受信手段によって受信すると、受信した前記開錠要求信号と照合するための認証情報を認証情報記憶部から読み込んで、読み込んだ前記認証情報と受信した前記開錠要求信号とを信号照合手段によって照合し、前記乗用車内情報処理装置は、前記信号照合手段によって前記開錠要求信号が適正であると判断されたときには、前記住居に関する情報を前記受信情報記憶手段から読み込んで、読み込んだ当該情報を前記乗用車の外部に情報出力手段から出力する」ようにしてもよい。
【００４３】
これは、利用者によって乗用車のドアロックが開錠された／されようとしたことの検知を情報提供の起点とし、あらかじめ情報収集装置から受信した住居に関する情報を乗用車内情報処理装置が利用者に提供する場合である。
【００４４】
利用者が乗用車で外出する場合は、乗用車のドアロックを開錠するときが何事につけ、利用者にとって「ハッ！」と我に返りやすいときであると考えれば、利用者によって乗用車が開錠された／されようとしたことの検知に応じて、乗用車の前にいる利用者が外出する際に気になりがちな、住居に関する情報を提供してもよいことになる。
【００４５】
また、「情報提供システムが前記乗用車の外部に出力した情報に対応する操作を、前記住居に設置された操作対象に対して実行するために、前記制御装置は、前記操作対象に対する操作信号を前記利用者が所持する携帯情報入力機器から受信すると、受信した操作信号に基づいて前記操作対象の操作を操作実行手段によって実行し、前記制御装置は、前記操作実行手段によって実行された、前記操作対象に対する操作結果情報を前記センシング機器から取得し、取得した前記操作結果情報を前記乗用車内情報処理装置に送信し、前記乗用車内情報処理装置は、前記操作結果情報を前記制御装置から受信すると、受信した当該情報を前記情報出力手段から出力する」ようにしてもよい。
【００４６】
これは、住居に関する情報を乗用車内情報処理装置が情報出力手段から出力した後に、利用者が操作した操作信号をその乗用車の周囲で受け付ける場合である。
【００４７】
乗用車が開錠された／されようとしたことの検知に応じて、外出する際に気になりがちな、住居に関する情報を提供された利用者は、提供された情報についてわざわざ戻る必要があるとするならばその場で対処したくもなる。戻るまでもないが、対処しなければならない場合にはなおさらである。もちろん、利用者が自らの目で確認して自らの手で対処したいと思う場合には、住居に戻ればよい。情報提供システムが情報を出力した後に、利用者ＩＤを記憶する携帯情報入力機器から操作信号を受け付けると、制御装置が操作信号に基づいて操作処理を実行する。制御装置は常に操作信号を受け付けるのではなく、情報提供システムが情報を出力した後の操作信号を実行するところにシステムとしてのポイントがある。
【００４８】
なお、制御装置が実行した操作結果情報は、情報提供システムが利用者に対して提供した住居に関する情報と同様の機能構成を用いて、情報提供システムを構成する乗用車内情報処理装置が備える情報出力手段から出力されるようにするとよい。こうすることで、住居に関する情報の提供、提供された情報に対する操作の受け付け、受け付けた操作についての操作結果の提供が一連の流れで処理されることとなる。
【００４９】
また、「前記制御装置は、利用者ＩＤとともに前記操作対象に対する操作信号を前記利用者が所持する携帯情報入力機器から受信すると、受信した前記利用者ＩＤと照合するための認証情報を認証情報記憶部から読み込んで、読み込んだ前記認証情報と受信した前記利用者ＩＤとを信号照合手段によって照合し、前記制御装置は、前記信号照合手段によって前記利用者ＩＤが適正であると判断されたときには、受信した操作信号に基づいて前記操作対象の操作を操作実行手段によって実行し、前記制御装置は、前記操作実行手段によって実行された、前記操作対象に対する操作結果情報を前記センシング機器から取得し、取得した前記操作結果情報を前記乗用車内情報処理装置に送信し、前記乗用車内情報処理装置は、前記操作結果情報を前記制御装置から受信すると、受信した当該情報を前記情報出力手段から出力する」ようにしてもよい。
【００５０】
携帯情報入力機器から受け付けた利用者ＩＤは、受け付けた制御装置が備える信号照合手段によって照合されるとよい。こうすることで、間違った操作信号の受け付けを防止し、結果として利用者が意図しないような操作が制御装置で実行されることがなくなる。
【００５１】
また、「前記乗用車内情報処理装置は、利用者ＩＤとともに前記操作対象に対する操作信号を前記利用者が所持する携帯情報入力機器から受信すると、受信した前記利用者ＩＤと照合するための認証情報を認証情報記憶部から読み込んで、読み込んだ前記認証情報と受信した前記利用者ＩＤとを前記信号照合手段によって照合し、前記乗用車内情報処理装置は、前記信号照合手段によって前記利用者ＩＤが適正であると判断されたときには、前記で受信した前記操作信号を前記制御装置に送信し、前記制御装置は、前記操作対象に対する操作信号を前記乗用車内情報処理装置から受信すると、受信した操作信号に基づいて前記操作対象の操作を操作実行手段によって実行し、前記制御装置は、前記操作実行手段によって実行された、前記操作対象に対する操作結果情報を前記センシング機器から取得し、取得した前記操作結果情報を前記乗用車内情報処理装置に送信し、前記乗用車内情報処理装置は、前記操作結果情報を前記制御装置から受信すると、受信した当該情報を前記情報出力手段から出力する」ようにしてもよい。
【００５２】
これは、住居に関する情報を乗用車内情報処理装置が情報出力手段から出力した後に、利用者が操作した操作信号をその乗用車内情報処理装置が受け付けて、受け付けた操作信号を制御装置に送信する場合である。
【００５３】
乗用車内情報処理装置と制御装置との間で通信可能な場合には、携帯情報入力機器から制御装置に操作信号を送信する機能を持たせずとも、携帯情報入力機器は利用者の目の前にある乗用車内情報処理装置まで操作信号が送信できる程度の簡易的な近距離通信手段のみを備えるだけでよいことになる。なお、携帯情報入力機器から操作信号とともに受け付けた利用者ＩＤを用いて乗用車内情報処理装置が備える信号照合手段によって照合処理を実行するようにすると、受け付けた操作信号が適正でなかった場合に制御装置にムダな情報を送信しなくとも済む。
【００５４】
なお、乗用車内情報処理装置が情報入力手段を備える場合には、情報入力手段から操作信号を受け付けてもよい。情報出力手段によって乗用車に乗り込む前の利用者に情報を提供していることから、この場合の情報入力手段は乗用車の外部に設置されている方が好ましく、理に適うことになる。
【００５５】
また、「前記乗用車内情報処理装置は、利用者ＩＤとともに前記操作対象に対する操作信号を前記利用者が所持する携帯情報入力機器から受信すると、受信した前記利用者ＩＤと照合するための認証情報を認証情報記憶部から読み込んで、読み込んだ前記認証情報と受信した前記利用者ＩＤとを前記信号照合手段によって照合し、前記乗用車内情報処理装置は、前記信号照合手段によって前記利用者ＩＤが適正であると判断されたときには、前記で受信した前記操作信号を、前記で前記情報出力部に出力した前記住居に関する情報に対する操作信号として前記制御装置に送信し、前記制御装置は、前記操作対象に対する操作信号を前記乗用車内情報処理装置から受信すると、受信した操作信号に基づいて前記操作対象の操作を操作実行手段によって実行し、前記制御装置は、前記操作実行手段によって実行された、前記操作対象に対する操作結果情報を前記センシング機器から取得し、取得した前記操作結果情報を前記乗用車内情報処理装置に送信し、前記乗用車内情報処理装置は、前記操作結果情報を前記制御装置から受信すると、受信した当該情報を前記情報出力手段から出力する」ようにしてもよい。
【００５６】
利用者から受け付けた操作は、必然的に乗用車内情報処理装置の情報出力手段が出力した情報に対する操作であるので、操作信号を受け付けた乗用車内情報処理装置は情報出力手段に出力した住居に関する情報に対する操作信号として制御装置に送信すれば、利用者の操作をより簡易的な操作とすることが出来る。
【００５７】
また、「前記乗用車内情報処理装置は、前記乗用車の動力部の始動を検知すると、前記携帯情報入力機器からの前記操作信号の受信を停止する」ようにしてもよい。
【００５８】
これは、乗用車の動力部（具体的には、エンジン）が始動されると操作が効かなくなるようにする場合である。乗用車の動力部が始動されたということは、出力した情報に対する操作が必要ない、またはそれまでに操作を受け付けていた場合にはそれ以上必要ないと利用者が判断したと見なして、操作受け付けの処理を終了するとよい。
【発明の効果】
【００５９】
心配性な利用者は外出する際に玄関ドアを施錠した後にちゃんと施錠されたかを確認しても、その施錠を確認する行為はいつしか慣れとなってしまって、無意識のうちにこの施錠確認行為をするようになり、施錠確認行為をした上で玄関ドアを離れたにも関わらず、何かの拍子で我に返って（玄関ドアを施錠したのか心配になって）再び玄関ドアまで戻ってきてしまうことがよくあるが、以上記載の本発明によれば、住居から乗用車で外出する場合に利用者が最も我に帰りやすいタイミングとなる、乗用車のドアロックが開錠された／されようとした際に、住居に関する情報をその乗用車の外部に向けて乗用車内情報処理装置が情報出力手段から出力するようにしたので、玄関ドアを施錠した後、実際に玄関ドアを開ける行為をしてみて開かないことを確認する心配性な利用者であっても安心して外出することが出来る。
【００６０】
つまり、乗用車のドアロック開錠処理を住居から乗用車で外出しようとしている利用者が最も我に返りやすいタイミングの見計らいに用いているので、利用者が「ハッ！」と我に返った正にその瞬間に合わせて、その利用者がそのとき最も気になっている住居に関する情報を、その利用者に情報取得のための操作を新たにさせなくとも提供することが出来る。つまり、利用者は乗用車のドアロックを開錠しようとするだけで、外出する際に気になりがちな住居に関する情報を得ることが出来る。
【００６１】
なお、住居に関する情報は、乗用車のドアロックが（適正な開錠要求情報によって）正常に開錠された／されようとした場合にしか出力されないようにすれば、不要な個人情報がむやみに提供されてしまうことはないという効果が得られる。
【００６２】
また、情報提供システムが利用者に乗用車を介して提供した住居に関する情報についての何らかの操作をその乗用車の周囲で受け付ければ、提供された情報についてわざわざ戻る必要があってもその場で対処が可能となるという効果が得られる。
【発明を実施するための最良の形態】
【００６３】
以下に、本発明に係る情報提供システムの具体的実施の形態を、図面を参照して詳細に説明する。
【００６４】
図１および図２は、本発明の実施形態における情報提供システムのコンセプトを説明する説明図である。
【００６５】
図１において、利用者１は住居から外出する際に玄関ドア２の外側から玄関ドア用の鍵３を用いて玄関ドア２に設置された錠４を施錠する。玄関ドア２の施錠は電子鍵と電子錠を用いて実行されてもよい。ところが心配性な利用者１は玄関ドアに設置された錠４を施錠した後にちゃんと施錠されたかを確認する傾向がある。この行為を施錠確認行為と言う。ところが、このような確認行為はそのうち「慣れ」となってしまい、利用者１はいつしか無意識のうちに施錠確認行為をするようになる。外出する際に何か別の気にかかることがあるとなおさら、利用者１はそっちの方に気を取られ、施錠確認行為をした上で玄関ドア２を離れたにも関わらず、当の本人はその行為を行ったかどうかを覚えていない。すると、何かの拍子で利用者１は我に返り、ちゃんと玄関ドアを施錠したのかが心配になってしまうこととなる。
【００６６】
人が我に帰るのは次の行為に移るときであったりする。例えば、利用者１が住居から乗用車６で外出する場合は、乗用車６のドアロックを開錠するときがそれに相当する。なぜ乗用車６のドアロックを開錠するときに「ハッ！」と我に返るのかには諸説あるが、この場合一旦、乗用車６に乗って出発してしまうと戻ってくるまでに多くの時間を要してしまうため、これまでの経験に基づいて無意識に「待てよ、何か忘れていることはないかな」などと考えるためだとも言われている。
【００６７】
そこで、図２において、利用者１が住居から乗用車６で外出する場合に、利用者１が最も我に帰りやすいタイミングとなる、乗用車６のドアロックが開錠された／されようとした際に、住居に関する情報をその乗用車６の外部に向けて乗用車６に備わる情報出力部１０、情報出力部１１または情報出力部１２のいずれかから出力するようにした。情報出力部１０は、乗用車６の外面に設置された表示装置であり、視覚情報が表示される。同様に情報出力部１１は、情報出力部として機能する乗用車６のウィンドウであり、例えばウィンドウ内側に投影スクリーンとなる半透明フィルム基材を貼り付けておき、プロジェクタなどの投影装置を用いて視覚情報をスクリーンに投影する。情報出力部１２は、音声情報を出力する音声出力装置である。これらの情報出力部１０〜１２は併用されてもよい。
【００６８】
乗用車６のドアロックの開錠は、例えば利用者１によって操作されたキーレスエントリ情報記憶媒体７や利用者１が所持するパッシブエントリ情報記憶媒体（携帯ＩＤ）９（図示せず）と乗用車内情報処理システム６−２（図示せず）との通信によって実行される。ドアハンドル８の付近に設置される錠と利用者１が所持する乗用車用の鍵とを用いて開錠されてもよい。
【００６９】
住居に関する情報の提供に利用者端末を用いると、利用者端末から何らかの情報を出力することを通知する通知情報によって、まず利用者１に衣服のポケットやカバンなどから利用者端末を取り出させる必要があり、その時間と手間が掛かるが、これは利用者端末の携帯性ゆえのことである。本発明では、利用者１がどうにも携帯することのできない乗用車６から情報を出力することによって、利用者端末を取り出す時間と手間を省くことが出来る。乗用車６は取り出さずとも、利用者１が乗用車６で外出する場合には、必ず利用者１の前に存在する。つまり、利用者１は乗用車６に乗って外出する自らの意志によってその乗用車６に近づいてくるので、乗用車６の外部に情報出力部１０〜１２から情報を出力することによって、必ず利用者１の目の前に情報を出力させることが出来る。なお、利用者１がどの乗用車６に乗って外出しようとしているかは、その利用者１がどの乗用車６のドアロックを開錠しようとしたかで検知することが出来る。乗用車６のドアロック開錠処理を情報提供に用いれば、利用者１の目の前を外すことはない。
【００７０】
なお、利用者１は、様々な方向から乗用車６に近づくことがあるので、乗用車６に対してどの方向から、つまり乗用車６の前面からなのか右側面なのか左側面なのか、それとも後面なのかを検知して、利用者１を検知した方向に設置された情報出力部１０〜１２を用いて情報を出力するとよい。
【００７１】
ところで、住居に関する情報は乗用車６に乗る前の利用者１に提供することが大切であり、乗用車６のドアロックが開錠された／されようとした際とは、利用者１にとって乗用車６に乗り込む前に相当する。乗用車６に乗り込む前であれば、利用者１は住居にすぐ戻ることも出来るが、一旦乗用車６に乗り込んでしまうとまた降りる手間が発生してしまう。そこで、本発明では、この乗用車６のドアロック開錠処理を、住居から乗用車６で外出しようとしている利用者１が最も我に返りやすいタイミングの見計らいに用いているので、利用者１が「ハッ！」と我に返った正にその瞬間に合わせて、その利用者１がそのとき最も気になっている住居に関する情報を、その利用者１に情報取得のための操作を新たにさせなくとも提供することが出来る。つまり、利用者１は乗用車６のドアロックを開錠しようとするだけで、外出する際に気になりがちな住居に関する情報を得ることが出来る。
【００７２】
なお、本発明のように利用者１が乗用車６に乗り込む前に、住居に関する情報を利用者１に提供すると、利用者１は乗用車６に乗らずに住居にもう一度戻ることもある。そこで、住居に関する情報を乗用車内情報処理システム６−２が情報出力部１８−２から出力する場合には、乗用車６のドアロックに対して開錠指示を受け付けてもドアロックを開錠せずに、再度の開錠指示を受け付けてからドアロックを開錠するようにしてもよい。乗用車６のドアロックに対して再度の開錠指示（住居に関する情報を情報出力部１０〜１２に出力した後の開錠指示）を受け付けたということは、利用者１「住居に戻る必要がないので乗用車６に乗りたい」という意志を情報提供システムに対して示したことを意味している。
【００７３】
図３は、本発明の実施形態における乗用車駆動部のハードブロック図である。
【００７４】
同図において、制御部（コントローラ）とは、駆動系制御システムとして乗用車駆動部６−１の各部位を制御する部位のことであり、制御に必要な演算機能やメモリなどで構成され、演算処理に必要なプログラムもここに含まれ、乗用車内情報処理システム６−２（図示せず）の演算部１５と処理の連携をしている。制御部に制御された動力部６７は、加速部（アクセル）および減速部（ブレーキ）の操作に応じた動力を出力し、出力された動力は変速部（トランスミッション）を介して駆動輪（タイヤ）に伝えられ、方向舵部（ステアリング）を握る利用者１の運転によって乗用車６は場所を移動することが出来る。なお、乗用車６には「走る、止まる、曲がる」という基本的な駆動を制御するための情報を取得するセンサは元より、乗用車６としての快適性、安全性、利便性を利用者１に提供するために必要な情報を取得する各種センサが備わっている。乗用車６には、乗用車６に乗降車するためのドアがあり、このドアのドアロックを機構的に実行する部位がドアロックアクチュエータ（ドアロック部）１４である。
【００７５】
図４は、本発明の実施形態における乗用車に搭載される乗用車内情報処理システムのハードブロック図である。
【００７６】
同図において、乗用車内情報処理システム６−２とは、走る、止まる、曲がるなどの乗用車６としての基本性能を実現する駆動系制御システムと連携する情報系制御システムのことであり、一般にＢＣＭ（ボディコントロールモジュール）と呼ばれる車内電装品を統括する電子部品モジュールに含まれていてもよい。
【００７７】
情報入出力部１８とは、乗用車内情報処理システム６−２が利用者１と種々のやりとりをするための入出力機能を持つ部位であり、大まかに情報入力部１８−１と情報出力部１８−２で構成される。情報入力部１８−１における入力装置としては、例えばテンキーや押しボタンＳＷ（スイッチ）、音声入力などが該当し、利用者１の入力がシステムに対して情報を伝達するものなら、その種類は問わない。また情報出力部１８−２における出力装置としては、例えばディスプレイ、音声出力装置などが該当し、利用者１に対してシステムから情報を伝達できるものなら、その種類は問わない。演算部１５とは、プログラムを実行することによって各機能を駆動、処理するための演算機能を持つ部位であり、一般にＣＰＵ（中央演算装置）で構成され、乗用車駆動部６−１との情報のやりとりも実行する。メモリ部１９とは、演算部１５が実行するプログラムの実行エリアの部位である。通信部２０とは、住居内サーバ１６や住居内センサターミナル１７などの種々の端末、キーレスエントリ情報記憶媒体７やパッシブエントリ情報記憶媒体（携帯ＩＤ）９などの各種情報記憶媒体および外部システムとの通信を制御する部位である。ＤＢ管理部２１とは、様々なデータ構造とデータ実体を管理する機能を持つ部位である。
【００７８】
ＤＢ管理部２１に管理される処理プログラム２２とは、乗用車内情報処理システム６−２の利用目的を達成するために必要なプログラムのことであり、ＯＳ（オペレーティングシステム）もここに含まれる。同様に認証情報記憶部２３とは、ドアロック部に対して受信した開錠要求信号などの受信信号と照合するための認証情報を記憶する部位である。同様に住居内状態情報記憶部２４とは、住居内サーバ１６や住居内センサターミナル１７から受信した住居に関する情報を記憶しておかなければならないときに用いられる部位である。同様にテンプレート情報記憶部２５とは、住居に関する情報を情報出力部１８−２から出力する際に、受信した情報を当てはめるテンプレート情報を記憶する部位であり、テンプレート情報を用いると、出力しなければならない情報の情報量に対して少ない情報量の送受信で済むという利点がある。その他のプログラム・データ２６とは、乗用車内情報処理システム６−２の処理として適宜、用いられるプログラムやデータ記憶するデータベースのことである。
【００７９】
図５は、本発明の実施形態におけるハンドルセンサのハードブロック図である。
【００８０】
同図において、ハンドルセンサ１３−１とは、乗用車６のドアの取っ手であるドアハンドル８に備わるセンサであり、パッシブエントリ情報記憶媒体（携帯ＩＤ）９とセットで乗用車６のドアロック部１４の開錠に用いられる。ハンドルセンサ１３−１は、乗用車６のドアハンドル８に接近した利用者１の手や指などの身体を検出し、ドアの自動開錠動作のトリガとなる検知信号を出力するセンサである。送信アンテナ２７と受信アンテナ２８と送信クロック生成回路部２９、インパルス整形回路部３０、受信クロック生成回路部３１、ビート生成回路部３２、サンプリングパルス生成回路部３３、サンプルホールド回路部３４および判定回路部３５で構成されている。
【００８１】
ここで、送信クロック生成回路部２９はインパルスレーダの基準波（例えば５００ｋＨｚ程度の周波数）を生成する回路部であり、水晶振動子を発信源とする発信回路によって構成されている。また、受信クロック生成回路部３１は、インパルスレーダのビート波（例えば１ｋＨｚ程度の周波数）を生成する回路部であり、例えば変形コルピッツ型低消費電流発振器によって送信クロック生成回路部２９とは別個に構成されている。インパルス整形回路部３０は、送信クロック生成回路部２９で生成された波形を整形し、所定の矩形波（パルス）として送信アンテナ２７に入力することにより、送信アンテナ２７が周期的にオンオフされ、所定の送信波（送信アンテナ２７の帯域幅による制限を受けた周波数成分で高周波を含む）が放射される。ビート生成回路部３２は、基準波の波形をビート波によって変化させたサンプリングパルス（ビート波に対応したゆらぎ成分を有するもの）を生成する回路部であり、サンプリングパルス生成回路部３３は、ビート波生成回路３２で生成された波形を整形し、サンプルホールド回路部３４に入力する。サンプルホールド回路３４では、受信アンテナ２８からの入力にサンプリングパルス生成回路部３３の出力を混合し、受信アンテナ２８からの入力のうち、所定の低周波成分（被検知物体からの反射波の成分を含むもの）を取り出して出力する。なお、サンプリングパルスにビート波に対応したゆらぎ成分を付加する技術は、インパルスレーダにおいて適正な反射波を効率よく受信するための手法の一つである。
【００８２】
判定回路部３５では、例えば特願２００３−３８０３９８号明細書に示されるような判定処理が実行されることにより、人の手や指以外のものを誤検出することなく、利用者１の手がドアハンドル８に近接したことのみを確実に検出することが出来る。この特願２００３−３８０３９８号明細書には以下の技術が記載されている。サンプルホールド回路３４が生成した電気信号を２値化信号に変換した上で積分すると、電気信号が振動波形を有する場合に２値化信号は、振動波形の山または谷の幅に応じた矩形波になる。２値化信号を積分した結果は、矩形波の幅の区間だけ単調に減少または増加する波形となり、所定の時間継続することにより所定のしきい値に到達したか否かを判定すれば、人の手や指を検知することが出来る。なお、妨害波などの外乱を検知した場合には、比較的短い周期で振動するために２値化信号の積分値はしきい値に到達しないので、電力の大きい外乱であっても確実に除去することが出来る。判定回路３５は、このように検知した検知信号を乗用車内情報処理システム６−２に出力する。ハンドルセンサ１３−１は、人が触れようとする動きを触れる前に検知することからプリタッチセンサとも呼ばれる。プリタッチセンサについては、オムロンテクニクス第４４巻、第１号のＰ３２〜３６にその原理について詳細な説明が記載されているが、この技術を用いると利用者１がドアハンドル８に触れる前に情報出力処理の実行も可能となる。
【００８３】
図６は、本発明の実施形態におけるキーレスエントリ情報記憶媒体のハードブロック図である。
【００８４】
同図において、演算部３６とは、キーレスエントリ情報記憶媒体７がプログラムを実行することによって各機能を駆動、処理するための演算機能を持つ部位であり、一般にＣＰＵ（中央演算装置）で構成される。開錠／施錠操作部３７とは、利用者１の開錠／施錠の操作を受け付ける部位であり、利用者１の操作がキーレスエントリ情報記憶媒体７に対して情報を伝達するものなら、その種類は問わない。メモリ部３８とは、キーレスエントリ情報記憶媒体７の目的を達成するために必要なプログラムやデータを記憶する記憶エリアと演算部３６が実行するプログラムの実行エリアの部位である。情報送受信部３９とは、乗用車内情報処理システム６−２や住居内サーバ１６との情報送受信を制御する部位である。
【００８５】
情報送受信部３９は、受信アンテナと送信アンテナおよび送受信回路で構成されている。受信アンテナは、例えば１００〜１５０ｋＨｚ程度の低周波（ＬＦ）による起動信号を受信するためのものであり、受信アンテナは、開錠／施錠操作部３７の操作に応じたキーレスエントリ情報記憶媒体７の演算部３６がメモリ部３８に記憶する開錠／施錠要求信号を読み出して、読み出した信号を例えばＵＨＦバンド内の周波数による高周波で送信するためのものである。この仕組みは、基本的にパッシブエントリ情報記憶媒体（携帯ＩＤ）９でも同様である。
【００８６】
図７は、本発明の実施形態におけるパッシブエントリ情報記憶媒体（携帯ＩＤ）のハードブロック図である。
【００８７】
同図において、演算部４０とは、パッシブエントリ情報記憶媒体（携帯ＩＤ）９がプログラムを実行することによって各機能を駆動、処理するための演算機能を持つ部位であり、一般にＣＰＵ（中央演算装置）で構成される。メモリ部４１とは、パッシブエントリ情報記憶媒体（携帯ＩＤ）９の目的を達成するために必要なプログラムやデータを記憶する記憶エリアと演算部４０が実行するプログラムの実行エリアの部位である。情報送受信部４２とは、乗用車内情報処理システム６−２や住居内サーバ１６との情報送受信を制御する部位である。
【００８８】
情報送受信部４２は、受信アンテナと送信アンテナおよび送受信回路で構成されている。受信アンテナは、例えば１００〜１５０ｋＨｚ程度の低周波（ＬＦ）による起動信号を受信するためのものであり、受信アンテナは、起動信号に応じたパッシブエントリ情報記憶媒体（携帯ＩＤ）９の演算部４０がメモリ部４１に記憶する利用者ＩＤを読み出して、読み出した利用者ＩＤを例えばＵＨＦバンド内の周波数による高周波で返信するためのものである。
【００８９】
図８は、本発明の実施形態における住居内サーバのハードブロック図である。
【００９０】
同図において、情報入出力部４４とは、住居内サーバ１６が利用者１と種々のやりとりをするための入出力機能を持つ部位であり、大まかに情報入力部４４−１と情報出力部４４−２で構成される。情報入力部４４−１における入力装置としては、例えばテンキーやキーボード、音声入力などが該当し、利用者１の入力がシステムに対して情報を伝達するものなら、その種類は問わない。また情報出力部４４−２における出力装置としては、例えばディスプレイ、音声出力装置などが該当し、利用者１に対してシステムから情報を伝達できるものなら、その種類は問わない。演算部４５とは、プログラムを実行することによって各機能を駆動、処理するための演算機能を持つ部位であり、一般にＣＰＵ（中央演算装置）で構成されている。メモリ部４６とは、演算部４５が実行するプログラムの実行エリアの部位である。通信部４７とは、乗用車内情報処理システム６−２や各種センサ４３、キーレスエントリ情報記憶媒体７やパッシブエントリ情報記憶媒体（携帯ＩＤ）９などの各種情報記憶媒体および外部システムとの通信を制御する部位である。ＤＢ管理部４８とは、様々なデータ構造とデータ実体を管理する機能を持つ部位である。
【００９１】
ＤＢ管理部４８に管理される処理プログラム４９とは、住居内サーバ１６の利用目的を達成するために必要なプログラムのことであり、ＯＳ（オペレーティングシステム）もここに含まれる。同様に状態情報記憶部５０とは、各種センサ４３から受信した住居に関する情報を記憶する部位である。同様に認証情報記憶部５１とは、利用者ＩＤなどの受信信号と照合するための認証情報を記憶する部位である。その他のプログラム・データ５２とは、住居内サーバ１６の処理に適宜用いられるプログラムやデータ記憶するデータベースのことである。
【００９２】
図９は、本発明の実施形態における住居内センサターミナルのハードブロック図である。
【００９３】
同図において、演算部５３とは、住居内センサターミナル１７がプログラムを実行することによって各機能を駆動、処理するための演算機能を持つ部位であり、一般にＣＰＵ（中央演算装置）で構成される。Ｉ／Ｆ（インタフェース）回路部５４とは、各種センサ４３を接続するための部位である。メモリ部５５とは、住居内センサターミナル１７の目的を達成するために必要なプログラムやデータを記憶する記憶エリアと演算部５３が実行するプログラムの実行エリアの部位である。通信部５６とは、乗用車内情報処理システム６−２などとの通信を制御する部位である。
【００９４】
図１０は、本発明の実施形態におけるキーレスエントリ情報記憶媒体および乗用車内情報処理システムの機能ブロック図である。
【００９５】
ここでは、まずキーレスエントリ情報記憶媒体７の基本機能を説明する。同図において、キーレスエントリ情報記憶媒体７は、開錠／施錠操作部３７を介して利用者１から開錠／施錠の操作を受け付ける機能と、受け付けた操作に応じて開錠／施錠信号を開錠／施錠信号記憶部３８−１から読み込む機能と、開錠／施錠信号記憶部３８−１から読み込んだ開錠／施錠信号を乗用車内情報処理システム６−２に送信する機能とを有する。乗用車内情報処理システム６−２は、キーレスエントリ情報記憶媒体７から開錠／施錠信号を受信する機能と、受信した開錠／施錠信号と照合するための照合用の認証情報を認証情報記憶部２３から読み込み、認証情報記憶部２３から読み込んだ認証情報をキーレスエントリ情報記憶媒体７から受信した開錠／施錠信号と照合する機能と、照合結果に基づいてドアロック部１４に開錠／施錠を指示する機能とを有する。
【００９６】
図１１は、図１０に示す機能ブロック図に対応するキーレスエントリ情報記憶媒体の演算部および乗用車内情報処理システムの演算部におけるフローチャートである。
【００９７】
同図において、キーレスエントリ情報記憶媒体７は、開錠／施錠操作部３７を介して利用者１から開錠／施錠の操作を受け付けると（ＳＴ１１０１）、受け付けた操作に応じて開錠／施錠信号を開錠／施錠信号記憶部３８−１から読み込み（ＳＴ１１０２）、読み込んだ開錠／施錠信号を乗用車内情報処理システム６−２に送信して（ＳＴ１１０３）、処理を終了する。乗用車内情報処理システム６−２は、キーレスエントリ情報記憶媒体７から開錠／施錠信号を受信すると、受信した開錠／施錠信号と照合するための照合用の認証情報を認証情報記憶部２３から読み込み（ＳＴ１１０４）、認証情報記憶部２３から読み込んだ認証情報をキーレスエントリ情報記憶媒体７から受信した開錠／施錠信号と照合し（ＳＴ１１０５）、照合結果が適正であったか否かを判断して（ＳＴ１１０６）、照合結果が適正であった場合には照合結果に基づいてドアロック部１４に開錠／施錠を指示して（ＳＴ１１０７）、処理を終了し、ＳＴ１１０６で、照合結果が適正でなかった場合には照合結果に基づいてドアロック部１４の開錠／施錠を拒否して（ＳＴ１１０８）、処理を終了する。
【００９８】
図１２は、本発明の実施形態におけるパッシブエントリ情報記憶媒体（携帯ＩＤ）および乗用車内情報処理システムの機能ブロック図である。
【００９９】
ここでは、まずパッシブエントリ情報記憶媒体（携帯ＩＤ）９の基本機能を説明する。同図において、ハンドルセンサ１３−１は、利用者１の手または指が乗用車６のドアハンドル８に近接したことを検知する機能と、検知結果を人体検知信号として乗用車内情報処理システム６−２に出力する機能を有する。乗用車内情報処理システム６−２は、ハンドルセンサ１３−１から人体検知信号の出力を受け付けると、利用者ＩＤの返信を要求する返信要求信号を乗用車６の周囲に送信（発信）する機能とを有する。ハンドルセンサ１３−１に検知された利用者１が所持するパッシブエントリ情報記憶媒体（携帯ＩＤ）９は、乗用車内情報処理システム６−２から利用者ＩＤの返信を要求する返信要求信号を受信する機能と、受信した要求信号に基づいて利用者ＩＤを利用者ＩＤ記憶部４１−１から読み込む機能と、利用者ＩＤ記憶部４１−１から読み込んだ利用者ＩＤを乗用車内情報処理システム６−２に返信する機能とを有する。さらに、乗用車内情報処理システム６−２は、返信要求信号に応じたパッシブエントリ情報記憶媒体（携帯ＩＤ）９から利用者ＩＤを受信する機能と、受信した利用者ＩＤと照合するための照合用の認証情報を認証情報記憶部２３から読み込み、認証情報記憶部２３から読み込んだ認証情報をパッシブエントリ情報記憶媒体（携帯ＩＤ）９から受信した利用者ＩＤと照合する機能と、照合結果に基づいてドアロック部１４に開錠／施錠を指示する機能とを有する。
【０１００】
図１３は、図１２に示す機能ブロック図に対応するハンドルセンサの処理回路部におけるフローチャートである。
【０１０１】
同図において、ハンドルセンサ１３−１は、利用者１の手または指が乗用車６のドアハンドル８に近接したことを検知すると（ＳＴ１３０１）、検知結果を人体検知信号として乗用車内情報処理システム６−２に出力して（ＳＴ１３０２）、処理を終了する。
【０１０２】
図１４は、図１２に示す機能ブロック図に対応するパッシブエントリ情報記憶媒体（携帯ＩＤ）の演算部および乗用車内情報処理システムの演算部におけるフローチャートである。
【０１０３】
同図において、乗用車内情報処理システム６−２は、ハンドルセンサ１３−１から人体検知信号の出力を受け付けると（ＳＴ１４０１）、利用者ＩＤの返信を要求する返信要求信号を乗用車６の周囲に送信（発信）する（ＳＴ１４０２）。ハンドルセンサ１３−１に検知された利用者１が所持するパッシブエントリ情報記憶媒体（携帯ＩＤ）９は、乗用車内情報処理システム６−２から利用者ＩＤの返信を要求する返信要求信号を受信すると、受信した要求信号に基づいて利用者ＩＤを利用者ＩＤ記憶部４１−１から読み込み（ＳＴ１４０３）、利用者ＩＤ記憶部４１−１から読み込んだ利用者ＩＤを乗用車内情報処理システム６−２に返信して（ＳＴ１４０４）、処理を終了する。さらに、乗用車内情報処理システム６−２は、返信要求信号に応じたパッシブエントリ情報記憶媒体（携帯ＩＤ）９から利用者ＩＤを受信すると、受信した利用者ＩＤと照合するための照合用の認証情報を認証情報記憶部２３から読み込み（ＳＴ１４０５）、認証情報記憶部２３から読み込んだ認証情報をパッシブエントリ情報記憶媒体（携帯ＩＤ）９から受信した利用者ＩＤと照合し（ＳＴ１４０６）、照合結果が適正であったか否かを判断して（ＳＴ１４０７）、照合結果が適正であった場合には照合結果に基づいてドアロック部１４に開錠を指示して（ＳＴ１４０８）、処理を終了し、ＳＴ１４０７で、照合結果が適正でなかった場合には照合結果に基づいてドアロック部１４の開錠を拒否して（ＳＴ１４０９）、処理を終了する。
【０１０４】
（第１実施形態）
図１５〜図２４を用いて、本発明における第１実施形態を説明する。この実施形態は、利用者１によって乗用車６のドアロック部１４が開錠された／されようとしたことの検知を情報提供の起点とし、乗用車内情報処理装置６−２が住居に関する情報を利用者１に提供する場合である。
【０１０５】
利用者１が乗用車６で外出する場合は、乗用車６のドアロック部１４を開錠するときが何事につけ、利用者１にとって「ハッ！」と我に返りやすいときであると考えれば、利用者１によって乗用車６のドアロック部１４が開錠された／されようとしたことの検知に応じて、乗用車６の前にいる利用者１が外出する際に気になりがちな、住居に関する情報を提供してもよいことになる。
【０１０６】
利用者１が乗用車６のドアロック部１４の開錠に鍵を用いる場合は、乗用車６のドアに設置された機構的な錠の操作に伴う、施錠から開錠への状態変化信号を情報配信の起点とするとよい。同様に利用者１が乗用車６のドアロック部１４の開錠にキーレスエントリ情報記憶媒体７を用いる場合は、キーレスエントリ情報記憶部７が送信する開錠信号を情報配信の起点とするとよい。同様に利用者１が乗用車６のドアロック部１４の開錠にパッシブエントリ情報記憶媒体（携帯ＩＤ）９を用いる場合は、利用者１の手や指を検知したハンドルセンサ１３−１から出力される人体検知信号を情報配信の起点とするとよい。乗用車内情報配信システム６−２では、情報配信の起点となる、これらの信号に基づいて情報配信処理を起動する。
【０１０７】
図１５は、本発明の実施形態におけるキーレスエントリ情報記憶媒体および乗用車内情報処理システムの機能ブロック図である。
【０１０８】
同図において、キーレスエントリ情報記憶媒体７は、開錠／施錠操作部３７を介して利用者１から開錠／施錠の操作を受け付ける機能と、受け付けた操作に応じて開錠／施錠信号を開錠／施錠信号記憶部３８−１から読み込む機能と、開錠／施錠信号記憶部３８−１から読み込んだ開錠／施錠信号を乗用車内情報処理システム６−２に送信する機能とを有する。乗用車内情報処理システム６−２は、キーレスエントリ情報記憶媒体７から開錠／施錠信号を受信する機能と、受信した開錠／施錠信号と照合するための照合用の認証情報を認証情報記憶部２３から読み込み、認証情報記憶部２３から読み込んだ認証情報をキーレスエントリ情報記憶媒体７から受信した開錠／施錠信号と照合する機能と、照合結果に基づいてドアロック部１４に開錠／施錠を指示する機能と、照合結果に基づいて住居内サーバ１６や住居内センサターミナル１７から取得した情報を用いて状態情報出力処理を実行する機能とを有する。
【０１０９】
図１６は、図１５に示す機能ブロック図に対応するキーレスエントリ情報記憶媒体の演算部および乗用車内情報処理システムの演算部におけるフローチャートである。
【０１１０】
同図において、キーレスエントリ情報記憶媒体７は、開錠／施錠操作部３７を介して利用者１から開錠／施錠の操作を受け付けると（ＳＴ１６０１）、受け付けた操作に応じて開錠／施錠信号を開錠／施錠信号記憶部３８−１から読み込み（ＳＴ１６０２）、読み込んだ開錠／施錠信号を乗用車内情報処理システム６−２に送信して（ＳＴ１６０３）、処理を終了する。乗用車内情報処理システム６−２は、キーレスエントリ情報記憶媒体７から開錠／施錠信号を受信すると、受信した開錠／施錠信号と照合するための照合用の認証情報を認証情報記憶部２３から読み込み（ＳＴ１６０４）、認証情報記憶部２３から読み込んだ認証情報をキーレスエントリ情報記憶媒体７から受信した開錠／施錠信号と照合し（ＳＴ１６０５）、照合結果が適正であったか否かを判断して（ＳＴ１６０６）、照合結果が適正であった場合には照合結果に基づいてドアロック部１４に開錠／施錠を指示し（ＳＴ１６０７）、さらに照合結果に基づいて住居内サーバ１６や住居内センサターミナル１７から取得した情報を用いて状態情報出力処理を実行して（ＳＴ１６０８）、処理を終了し、ＳＴ１６０６で、照合結果が適正でなかった場合には照合結果に基づいてドアロック部１４の開錠／施錠を拒否して（ＳＴ１６０９）、処理を終了する。
【０１１１】
図１７は、本発明の実施形態における乗用車内情報処理システムおよびパッシブエントリ情報記憶媒体（携帯ＩＤ）の機能ブロック図である。
【０１１２】
ここでは、まずパッシブエントリ情報記憶媒体（携帯ＩＤ）９の基本機能を説明する。同図において、ハンドルセンサ１３−１は、利用者１の手または指が乗用車６のドアハンドル８に近接したことを検知する機能と、検知結果を人体検知信号として乗用車内情報処理システム６−２に出力する機能を有する。乗用車内情報処理システム６−２は、ハンドルセンサ１３−１から人体検知信号の出力を受け付けると、利用者ＩＤの返信を要求する返信要求信号を乗用車６の周囲に送信（発信）する機能とを有する。ハンドルセンサ１３−１に検知された利用者１が所持するパッシブエントリ情報記憶媒体（携帯ＩＤ）９は、乗用車内情報処理システム６−２から利用者ＩＤの返信を要求する返信要求信号を受信する機能と、受信した要求信号に基づいて利用者ＩＤを利用者ＩＤ記憶部４１−１から読み込む機能と、利用者ＩＤ記憶部４１−１から読み込んだ利用者ＩＤを乗用車内情報処理システム６−２に返信する機能とを有する。さらに、乗用車内情報処理システム６−２は、返信要求信号に応じたパッシブエントリ情報記憶媒体（携帯ＩＤ）９から利用者ＩＤを受信する機能と、受信した利用者ＩＤと照合するための照合用の認証情報を認証情報記憶部２３から読み込み、認証情報記憶部２３から読み込んだ認証情報をパッシブエントリ情報記憶媒体（携帯ＩＤ）９から受信した利用者ＩＤと照合する機能と、照合結果に基づいてドアロック部１４に開錠／施錠を指示する機能と、照合結果に基づいて住居内サーバ１６や住居内センサターミナル１７から取得した情報を用いて状態情報出力処理を実行する機能とを有する。
【０１１３】
図１８は、図１７に示す機能ブロック図に対応する乗用車内情報処理システムの演算部およびパッシブエントリ情報記憶媒体（携帯ＩＤ）の演算部におけるフローチャートである。
【０１１４】
同図において、乗用車内情報処理システム６−２は、ハンドルセンサ１３−１から人体検知信号の出力を受け付けると（ＳＴ１８０１）、利用者ＩＤの返信を要求する返信要求信号を乗用車６の周囲に送信（発信）する（ＳＴ１８０２）。ハンドルセンサ１３−１に検知された利用者１が所持するパッシブエントリ情報記憶媒体（携帯ＩＤ）９は、乗用車内情報処理システム６−２から利用者ＩＤの返信を要求する返信要求信号を受信すると、受信した要求信号に基づいて利用者ＩＤを利用者ＩＤ記憶部４１−１から読み込み（ＳＴ１８０３）、利用者ＩＤ記憶部４１−１から読み込んだ利用者ＩＤを乗用車内情報処理システム６−２に返信して（ＳＴ１８０４）、処理を終了する。さらに、乗用車内情報処理システム６−２は、返信要求信号に応じたパッシブエントリ情報記憶媒体（携帯ＩＤ）９から利用者ＩＤを受信すると、受信した利用者ＩＤと照合するための照合用の認証情報を認証情報記憶部２３から読み込み（ＳＴ１８０５）、認証情報記憶部２３から読み込んだ認証情報をパッシブエントリ情報記憶媒体（携帯ＩＤ）９から受信した利用者ＩＤと照合し（ＳＴ１８０６）、照合結果が適正であったか否かを判断して（ＳＴ１８０７）、照合結果が適正であった場合には照合結果に基づいてドアロック部１４に開錠を指示し（ＳＴ１８０８）、さらに照合結果に基づいて住居内サーバ１６や住居内センサターミナル１７から取得した情報を用いて状態情報出力処理を実行して（ＳＴ１８０９）、処理を終了し、ＳＴ１８０７で、照合結果が適正でなかった場合には照合結果に基づいてドアロック部１４の開錠を拒否して（ＳＴ１８１０）、処理を終了する。
【０１１５】
このハンドルセンサ１３−１は、人が触れようとする動きを触れる前に検知することからプリタッチセンサとも呼ばれる。プリタッチセンサについては、オムロンテクニクス第４４巻、第１号のＰ３２〜３６にその原理について詳細な説明が記載されているが、この技術を用いると利用者１がドアハンドル８に触れる前に情報出力処理の実行も可能となる。
【０１１６】
図１９は、図１５または図１７に示す機能ブロック図における一部の機能を詳細に説明する機能ブロック図である。
【０１１７】
同図は、図１５または図１７に示す機能ブロック図における「照合結果に基づいて住居内サーバ１６や住居内センサターミナル１７から取得した情報を用いて状態情報出力処理を実行する機能」に対応する。この機能ブロック図は、乗用車内情報処理システム６−２からの要求情報に応じて住居内サーバ１６が住居に関する状態情報を各種センサ４３から収集し、収集した状態情報を乗用車内情報処理システム６−２に送信する場合の処理である。
【０１１８】
同図において、乗用車内情報処理システム６−２は、照合結果に基づいて状態情報の返信を要求する返信要求情報を住居内サーバ１６に送信する機能を有する。住居内サーバ１６は、乗用車内情報処理システム６−２から状態情報の返信を要求する返信要求情報を受信する機能と、受信した返信要求情報に基づいて住居に関する状態情報を各種センサ４３から取得する機能と、取得した住居についての状態情報を乗用車内情報処理システム６−２に送信する機能とを有する。さらに、乗用車内情報処理システム６−２は、返信要求情報に応じた住居内サーバ１６から住居に関する状態情報を受信する機能と、受信した住居に関する状態情報をテンプレート情報記憶部２５から読み出したテンプレート情報に当てはめて情報出力部１８−２に出力する機能とを有する。
【０１１９】
図２０は、図１９に示す機能ブロック図に対応する乗用車内情報処理システムの演算部および住居内サーバの演算部におけるフローチャートである。
【０１２０】
同図は、図１６に示すフローチャートのＳＴ１６０８および図１８に示すフローチャートのＳＴ１８０９に対応する。同図において、状態情報出力処理の実行指示を受け付けると（ＳＴ２００１）、状態情報の返信を要求する返信要求情報を住居内サーバ１６に送信する（ＳＴ２００２）。住居内サーバ１６は、乗用車内情報処理システム６−２から状態情報の返信を要求する返信要求情報を受信すると、受信した返信要求情報に基づいて住居に関する状態情報を各種センサ４３から取得し（ＳＴ２００３）、取得した住居についての状態情報を乗用車内情報処理システム６−２に送信して（ＳＴ２００４）、処理を終了する。乗用車内情報処理システム６−２は、返信要求情報に応じた住居内サーバ１６から住居に関する状態情報を受信すると、受信した住居に関する状態情報をテンプレート情報記憶部２５から読み出したテンプレート情報に当てはめて情報出力部１８−２に出力して（ＳＴ２００５）、処理を終了する。
【０１２１】
図２１は、図１５または図１７に示す機能ブロック図における一部の機能を詳細に説明する機能ブロック図である。
【０１２２】
同図は、図１５または図１７に示す機能ブロック図における「照合結果に基づいて住居内サーバ１６や住居内センサターミナル１７から取得した情報を用いて状態情報出力処理を実行する機能」に対応する。この機能ブロック図は、住居内サーバ１６があらかじめ各種センサ４３から収集しておいた住居に関する状態情報を乗用車内情報処理システム６−２からの要求情報に応じて住居内サーバ１６が乗用車内情報処理システム６−２に送信する場合の処理である。
【０１２３】
同図において、住居内サーバ１６は、各種センサ４３から更新された住居に関する状態情報を取得する機能と、更新された住居に関する状態情報を状態情報記憶部５０に書き込む機能とを有する。乗用車内情報処理システム６−２は、照合結果に基づいて状態情報の返信を要求する返信要求情報を住居内サーバ１６に送信する機能を有する。さらに、住居内サーバ１６は、乗用車内情報処理システム６−２から状態情報の返信を要求する返信要求情報を受信する機能と、受信した返信要求情報に基づいて住居に関する状態情報を状態情報記憶部５０から読み込む機能と、読み込んだ住居についての状態情報を乗用車内情報処理システム６−２に送信する機能とを有する。さらに、乗用車内情報処理システム６−２は、返信要求情報に応じた住居内サーバ１６から住居に関する状態情報を受信する機能と、受信した住居に関する状態情報をテンプレート情報記憶部２５から読み出したテンプレート情報に当てはめて情報出力部１８−２に出力する機能とを有する。
【０１２４】
図２２は、図２１に示す機能ブロック図に対応する住居内サーバの演算部および乗用車内情報処理システムの演算部におけるフローチャートである。
【０１２５】
同図は、図１６に示すフローチャートのＳＴ１６０８および図１８に示すフローチャートのＳＴ１８０９に対応する。同図において、住居内サーバ１６は、各種センサ４３から更新された住居に関する状態情報を取得すると（ＳＴ２２０１）、更新された住居に関する状態情報を状態情報記憶部５０に書き込む（ＳＴ２２０２）。乗用車内情報処理システム６−２は、状態情報出力処理の実行指示を受け付けると（ＳＴ２２０３）、状態情報の返信を要求する返信要求情報を住居内サーバ１６に送信する（ＳＴ２２０４）。住居内サーバ１６は、乗用車内情報処理システム６−２から状態情報の返信を要求する返信要求情報を受信すると、受信した返信要求情報に基づいて住居に関する状態情報を状態情報記憶部５０から読み込み（ＳＴ２２０５）、読み込んだ住居についての状態情報を乗用車内情報処理システム６−２に送信して（ＳＴ２２０６）、処理を終了する。乗用車内情報処理システム６−２は、返信要求情報に応じた住居内サーバ１６から住居に関する状態情報を受信すると、受信した住居に関する状態情報をテンプレート情報記憶部２５から読み出したテンプレート情報に当てはめて情報出力部１８−２に出力して（ＳＴ２２０７）、処理を終了する。
【０１２６】
図２３は、図１５または図１７に示す機能ブロック図における一部の機能を詳細に説明する機能ブロック図である。
【０１２７】
同図は、図１５または図１７に示す機能ブロック図における「照合結果に基づいて住居内サーバ１６や住居内センサターミナル１７から取得した情報を用いて状態情報出力処理を実行する機能」に対応する。この機能ブロック図は、乗用車内情報処理システム６−２があらかじめ住居内センサターミナルから収集しておいた住居に関する状態情報を状態情報出力処理の実行に応じて用いる場合の処理である。
【０１２８】
同図において、住居内センサターミナル１７は、各種センサ４３から更新された住居に関する状態情報を取得する機能と、更新された住居に関する状態情報を乗用車内情報処理システム６−２に送信する機能とを有する。乗用車内情報処理システム６−２は、住居内センサターミナル１７から更新された住居に関する状態情報を受信する機能と、受信した住居に関する状態情報を住居内状態情報記憶部２４に書き込む機能とを有し、照合結果に基づいて住居に関する状態情報を住居内状態情報記憶部２４から読み込む機能と、読み込んだ住居に関する状態情報をテンプレート情報記憶部２５から読み出したテンプレート情報に当てはめて情報出力部１８−２に出力する機能とを有する。
【０１２９】
図２４は、図２３に示す機能ブロック図に対応する住居内センサターミナルの演算部および乗用車内情報処理システムの演算部におけるフローチャートである。
【０１３０】
同図は、図１６に示すフローチャートのＳＴ１６０８および図１８に示すフローチャートのＳＴ１８０９に対応する。同図において、住居内センサターミナル１７は、各種センサ４３から更新された住居に関する状態情報を取得すると（ＳＴ２４０１）、更新された住居に関する状態情報を乗用車内情報処理システム６−２に送信して（ＳＴ２４０２）、処理を終了する。乗用車内情報処理システム６−２は、住居内センサターミナル１７から更新された住居に関する状態情報を受信すると、受信した住居に関する状態情報を住居内状態情報記憶部２４に書き込み（ＳＴ２４０３）、状態情報出力処理の実行指示を受け付けると（ＳＴ２４０４）、住居に関する状態情報を住居内状態情報記憶部２４から読み込み（ＳＴ２４０５）、読み込んだ住居に関する状態情報をテンプレート情報記憶部２５から読み出したテンプレート情報に当てはめて情報出力部１８−２に出力して（ＳＴ２４０６）、処理を終了する。
【０１３１】
（第２実施形態）
図２５〜図３７を用いて、本発明における第２実施形態を説明する。この実施形態は、心配性な人（利用者１）向けに施錠確認行為の検知を情報提供の起点とする場合である。
【０１３２】
図２５は、本発明の第２実施形態における情報提供システムのコンセプトを説明する説明図である。
【０１３３】
玄関ドア２が施錠されたにも関わらず、施錠後の前記玄関ドア２の外側に設置された取っ手が操作されたことを示す施錠確認行為をする利用者１は、心配性な利用者１であると見なしてよい。つまり、施錠確認行為を検知すれば、心配性な利用者１を検知したことになる。よって、施錠確認行為の検知を情報提供の起点として、住居に関する情報を乗用車６のドアロック部１４が開錠された／されようとした際に乗用車内情報処理システム６−２が乗用車６の外部に向けて出力すれば、心配性な利用者１が「ハッ！」と我に返る瞬間に合わせて、心配性な利用者１が心配になった情報の提供が可能となる。このように心配性な利用者１が我に返ることによって心配になった情報を心配になったときに提供すれば、心配性な利用者１であっても安心して外出することが出来る。
【０１３４】
施錠確認行為とは、玄関ドア２の外側から玄関ドアが施錠されたかどうかを確認する行為であり、施錠されたかどうかを確認するのは玄関ドア２の施錠後であるのが必然（施錠しなければ確認する必要がない）なので、施錠後の玄関ドア２の外側に設置された取っ手５が操作されたが、玄関ドア２が開かなかったことを検知するとよい。玄関ドア２の施錠前に玄関ドア２が開くのは玄関ドア２としていわばあたり前であるが、玄関ドア２が施錠されたにも関わらず、玄関ドア２に設置された取っ手５が操作されたことは、利用者１に何らかの意図があると判断してよい。こうすることで、玄関ドア２の施錠後に玄関ドア２に設置された取っ手５が操作されたにも関わらず玄関ドア２が開かなかったことを検知するのは、施錠確認行為であると見なすことが出来る。
【０１３５】
玄関ドア２に設置された取っ手５が操作されたことの検知方法には、取っ手５の機構の動作を検知してもよいし、取っ手５を操作したときに発生する音によって検知してもよい。例えば玄関ドア２に設置された取っ手５が操作されたときに発生するガチャガチャという音から得られる振動波形について特徴量判定すると、検出すべき事象と検出すべきでない事象を分離する特徴量を用いて、取っ手５が操作されたことだけでなく、取っ手５が操作されたが玄関ドア２が開かなかったことまで同時に検知することが出来る。
【０１３６】
図２６は、本発明の実施形態における住居内サーバの機能ブロック図である。
【０１３７】
同図は、住居内サーバ１６が玄関ドア２に設置されたセンサ５７から出力された施錠検知信号に応じて住居に関する状態情報を各種センサ４３から収集し、収集した状態情報を乗用車内情報処理システム６−２、キーレスエントリ情報記憶部７およびパッシブエントリ情報記憶媒体（携帯ＩＤ）９のいずれかに送信する場合の処理である。
【０１３８】
同図において、住居内サーバ１６は、玄関ドア２のロック部１４から施錠を示す状態情報を受信する機能と、玄関ドア２に設置されたセンサ５７から施錠行為を検知した施錠行為検知信号を受信する機能と、施錠行為検知信号の受信に基づいて住居に関する状態情報を各種センサ４３から取得する機能と、取得した住居に関する状態情報を乗用車内情報処理システム６−２に送信または玄関ドア２周辺に送信（発信）する機能とを有する。
【０１３９】
住居に関する状態情報を住居内サーバ１６から受信するキーレスエントリ情報記憶媒体７またはパッシブエントリ情報記憶媒体（携帯ＩＤ）９などの情報記憶媒体は、乗用車内情報処理システム６−２への情報受け渡しを仲介しており、住居内サーバ１６と乗用車内情報処理システムとが直接通信する通信手段がない場合でもこれらの情報記憶媒体が備える情報記憶領域を介して住居に関する状態情報を受け渡しすることが出来る。なお、乗用車６のドアロック部１４を無線で開錠するためにキーレスエントリ情報記憶媒体７またはパッシブエントリ情報記憶媒体（携帯ＩＤ）９などの情報記憶媒体を用いる場合には、これらの情報記憶媒体が備える情報記憶領域を一時的に利用してもよく、住居に関する状態情報を受信した情報記憶媒体は、あらかじめ情報記憶領域に記憶する開錠要求信号とともに重要に関する情報を送信するとよい。住居に関する状態情報を乗用車内情報処理システム６−２に対して送信した後の情報記憶媒体は、情報記憶領域に残る住居に関する状態情報を自動的に消去してもよいし、新たな住居に関する状態情報を受信した場合に上書き（によって消去）するようにしてもよい。
【０１４０】
図２７は、図２６に示す機能ブロック図における玄関ドアに設置されたセンサの処理回路部におけるフローチャートである。
【０１４１】
同図において、玄関ドア２に設置されたセンサ５７は、利用者１の手または指が玄関ドア２の外側の取っ手５に近接したことを検知すると（ＳＴ２７０１）、検知した玄関ドア２の取っ手５の操作がありか否かを判断して（ＳＴ２７０２）、操作がなかった場合にはそのまま処理を終了し、操作があった場合にはさらに玄関ドア２が開いたか（開放したか）否かを判断して（ＳＴ２７０３）、開いた場合にはそのまま処理を終了し、開かなかった場合には施錠確認行為の検知信号を住居内サーバ１６に出力して（ＳＴ２７０４）、処理を終了する。
【０１４２】
図２８は、図２６に示す機能ブロック図における住居内サーバの演算部におけるフローチャートである。
【０１４３】
同図において、住居内サーバ１６は、玄関ドア２のロック部１４から施錠を示す状態情報を受信すると（ＳＴ２８０１）、玄関ドア２に設置されたセンサ５７から施錠行為を検知した施錠行為検知信号の出力ありか否かを判断して（ＳＴ２８０２）、施錠行為検知信号の出力があった場合には、住居に関する状態情報の返信を要求する返信要求情報を各種センサ４３に送信する（ＳＴ２８０３）。各種センサ４３は、住居内サーバ１６から住居に関する状態情報に対する返信要求情報を受信すると、受信した返信要求情報に基づいて状態情報をセンシングし（ＳＴ２８０４）、センシングした状態情報を住居内サーバ１６に送信して（ＳＴ２８０５）、処理を終了する。住居内サーバ１６は、各種センサ４３から住居に関する状態情報を受信すると、受信した住居に関する状態情報を乗用車内情報処理システム６−２に送信または玄関ドア２周辺に送信（発信）して（ＳＴ２８０６）、処理を終了し、ＳＴ２８０２で施錠行為検知信号の出力がなかった場合には、あらかじめ定める一定時間が経過したか否かを判断して（ＳＴ２８０７）、経過していない場合にはＳＴ２８０２に戻り、経過した場合にはそのまま処理を終了する。
【０１４４】
図２９は、本発明の実施形態における住居内サーバの機能ブロック図である。
【０１４５】
同図は、住居内サーバ１６があらかじめ各種センサ４３から収集しておいた住居に関する状態情報を、玄関ドア２に設置されたセンサ５７から出力された施錠検知信号に応じて、乗用車内情報処理システム６−２、キーレスエントリ情報記憶部７およびパッシブエントリ情報記憶媒体（携帯ＩＤ）のいずれかに送信する場合の処理である。
【０１４６】
同図において、住居内サーバ１６は、各種センサ４３から更新された住居に関する状態情報を取得する機能と、更新された住居に関する状態情報を状態情報記憶部５０に書き込む機能と、玄関ドア２のロック部１４から施錠を示す状態情報を受信する機能と、玄関ドア２に設置されたセンサ５７から施錠行為を検知した施錠行為検知信号を受信する機能と、施錠行為検知信号の受信に基づいて住居に関する状態情報を状態情報記憶部５０から読み込む機能と、読み込んだ住居に関する状態情報を乗用車内情報処理システム６−２に送信または玄関ドア２周辺に送信（発信）する機能とを有する。
【０１４７】
住居に関する状態情報を住居内サーバ１６から受信するキーレスエントリ情報記憶媒体７またはパッシブエントリ情報記憶媒体（携帯ＩＤ）９などの情報記憶媒体は、乗用車内情報処理システム６−２への情報受け渡しを仲介しており、住居内サーバ１６と乗用車内情報処理システムとが直接通信する通信手段がない場合でもこれらの情報記憶媒体が備える情報記憶領域を介して住居に関する状態情報を受け渡しすることが出来る。
【０１４８】
図３０は、図２９に示す機能ブロック図における住居内サーバの演算部におけるフローチャートである。
【０１４９】
同図において、住居内サーバ１６は、各種センサ４３から更新された住居に関する状態情報を取得すると（ＳＴ３００１）、更新された住居に関する状態情報を状態情報記憶部５０に書き込み（ＳＴ３００２）、玄関ドア２のロック部１４から施錠を示す状態情報を受信すると（ＳＴ３００３）、玄関ドア２に設置されたセンサ５７から施錠行為を検知した施錠行為検知信号の出力ありか否かを判断して（ＳＴ３００４）、施錠行為検知信号の出力があった場合には、住居に関する状態情報を状態情報記憶部５０から読み込み（ＳＴ３００５）、読み込んだ住居に関する状態情報を乗用車内情報処理システム６−２に送信または玄関ドア２周辺に送信（発信）して（ＳＴ３００６）、処理を終了し、ＳＴ３００４で施錠行為検知信号の出力がなかった場合には、あらかじめ定める一定時間が経過したか否かを判断して（ＳＴ３００７）、経過していない場合にはＳＴ３００４に戻り、経過した場合にはそのまま処理を終了する。
【０１５０】
なお、玄関ドア２に設置されたセンサ５７の処理回路部におけるフローチャートは図２７と同様である。
【０１５１】
図３１は、図２６に示す機能ブロック図または図２９に示す機能ブロック図に続く乗用車内情報処理システムの機能ブロック図である。
【０１５２】
同図において、乗用車内情報処理システム６−２は、住居内サーバ１６から住居に関する状態情報を受信する機能と、受信した住居に関する状態情報を住居内状態情報記憶部２４に書き込む機能とを有し、照合結果に基づいて住居に関する状態情報を住居内状態情報記憶部２４から読み込む機能と、読み込んだ住居に関する状態情報をテンプレート情報記憶部２５から読み出したテンプレート情報に当てはめて情報出力部１８−２に出力する機能とを有する。
【０１５３】
図３２は、図３１に示す機能ブロック図に対応する乗用車内情報処理システムの演算部におけるフローチャートである。
【０１５４】
同図において、乗用車内情報処理システム６−２は、住居内サーバ１６から住居に関する状態情報を受信すると（ＳＴ３２０１）、受信した住居に関する状態情報を住居内状態情報記憶部２４に書き込み（ＳＴ３２０２）、状態情報出力処理の実行指示を受け付けると（ＳＴ３２０３）、住居に関する状態情報を住居内状態情報記憶部２４から読み込み（ＳＴ３２０４）、読み込んだ住居に関する状態情報をテンプレート情報記憶部２５から読み出したテンプレート情報に当てはめて情報出力部１８−２に出力して（ＳＴ３２０５）、処理を終了する。
【０１５５】
図３３は、図２６に示す機能ブロック図または図２９に示す機能ブロック図に続くキーレスエントリ情報記憶媒体および乗用車内情報処理システムの機能ブロック図である。
【０１５６】
同図において、キーレスエントリ情報記憶媒体７は、住居内サーバ１６から住居に関する状態情報を受信する機能と、受信した住居に関する状態情報を住居内状態情報記憶部３８−２に書き込む機能とを有し、開錠／施錠操作部３７を介して利用者１から開錠の操作を受け付ける機能と、受け付けた操作に応じて開錠信号を開錠／施錠信号記憶部３８−１から読み込む機能と、住居内状態情報記憶部３８−２から住居に関する状態情報を読み込んで、読み込んだ住居に関する状態情報を開錠／施錠信号記憶部３８−１から読み込んだ開錠信号に付与する機能と、住居に関する状態情報を付与された開錠信号を乗用車内情報処理システム６−２に送信する機能とを有する。乗用車内情報処理システム６−２は、キーレスエントリ情報記憶媒体７から住居に関する状態情報が付与された開錠信号を受信する機能と、受信した開錠信号と照合するための照合用の認証情報を認証情報記憶部２３から読み込み、認証情報記憶部２３から読み込んだ認証情報をキーレスエントリ情報記憶媒体７から受信した開錠信号と照合する機能と、照合結果に基づいてドアロック部１４に開錠を指示する機能と、照合結果に基づいてキーレスエントリ情報記憶媒体７から開錠信号とともに受信した住居に関する状態情報をテンプレート情報記憶部２５から読み出したテンプレート情報に当てはめて情報出力部１８−２に出力する機能とを有する。
【０１５７】
図３４は、図３３に示す機能ブロック図に対応するキーレスエントリ情報記憶媒体の演算部および乗用車内情報処理システムの演算部におけるフローチャートである。
【０１５８】
同図において、キーレスエントリ情報記憶媒体７は、住居内サーバ１６から住居に関する状態情報を受信すると（ＳＴ３４０１）、受信した住居に関する状態情報を住居内状態情報記憶部３８−２に書き込み（ＳＴ３４０２）、開錠／施錠操作部３７を介して利用者１から開錠の操作を受け付けると（ＳＴ３４０３）、受け付けた操作に応じて開錠信号を開錠／施錠信号記憶部３８−１から読み込み（ＳＴ３４０４）、住居内状態情報記憶部３８−２から住居に関する状態情報を読み込み（ＳＴ３４０５）、読み込んだ住居に関する状態情報を開錠／施錠信号記憶部３８−１から読み込んだ開錠信号に付与し（ＳＴ３４０６）、住居に関する状態情報を付与された開錠信号を乗用車内情報処理システム６−２に送信して（ＳＴ３４０７）、処理を終了する。乗用車内情報処理システム６−２は、キーレスエントリ情報記憶媒体７から住居に関する状態情報が付与された開錠信号を受信すると、受信した開錠信号と照合するための照合用の認証情報を認証情報記憶部２３から読み込み（ＳＴ３４０８）、認証情報記憶部２３から読み込んだ認証情報をキーレスエントリ情報記憶媒体７から受信した開錠信号と照合し（ＳＴ３４０９）、照合結果が適正であったか否かを判断して（ＳＴ３４１０）、照合結果が適正であった場合には照合結果に基づいてドアロック部１４に開錠を指示し（ＳＴ３４１１）、キーレスエントリ情報記憶媒体７から開錠信号とともに受信した住居に関する状態情報をテンプレート情報記憶部２５から読み出したテンプレート情報に当てはめて情報出力部１８−２に出力して（ＳＴ３４１２）、処理を終了し、ＳＴ３４１０で照合結果が適正でなかった場合には照合結果に基づいてドアロック部１４の開錠を拒否して（ＳＴ３４１３）、処理を終了する。
【０１５９】
図３５は、図２６に示す機能ブロック図または図２９に示す機能ブロック図に続くパッシブエントリ情報記憶媒体（携帯ＩＤ）および乗用車内情報処理システムの機能ブロック図である。
【０１６０】
同図において、パッシブエントリ情報記憶媒体（携帯ＩＤ）９は、住居内サーバ１６から住居に関する状態情報を受信する機能と、受信した住居に関する状態情報を住居内状態情報記憶部４１−２に書き込む機能とを有する。ハンドルセンサ１３−１は、利用者１の手または指が乗用車６のドアハンドル８に近接したことを検知する機能と、検知結果を人体検知信号として乗用車内情報処理システム６−２に出力する機能を有する。乗用車内情報処理システム６−２は、ハンドルセンサ１３−１から人体検知信号の出力を受け付けると、利用者ＩＤの返信を要求する返信要求信号を乗用車６の周囲に送信（発信）する機能とを有する。ハンドルセンサ１３−１に検知された利用者１が所持するパッシブエントリ情報記憶媒体（携帯ＩＤ）９は、乗用車内情報処理システム６−２から利用者ＩＤの返信を要求する返信要求信号を受信する機能と、受信した要求信号に基づいて利用者ＩＤを利用者ＩＤ記憶部４１−１から読み込む機能と、住居内状態情報記憶部４１−２から住居に関する状態情報を読み込んで、読み込んだ住居に関する状態情報を利用者ＩＤ記憶部４１−１から読み込んだ利用者ＩＤに付与する機能と、住居に関する状態情報を付与された利用者ＩＤを乗用車内情報処理システム６−２に送信する機能とを有する。さらに、乗用車内情報処理システム６−２は、返信要求信号に応じたパッシブエントリ情報記憶媒体（携帯ＩＤ）９から利用者ＩＤを受信する機能と、受信した利用者ＩＤと照合するための照合用の認証情報を認証情報記憶部２３から読み込み、認証情報記憶部２３から読み込んだ認証情報をパッシブエントリ情報記憶媒体（携帯ＩＤ）９から受信した利用者ＩＤと照合する機能と、照合結果に基づいてドアロック部１４に開錠を指示する機能と、照合結果に基づいてキーレスエントリ情報記憶媒体７から開錠信号とともに受信した住居に関する状態情報をテンプレート情報記憶部２５から読み出したテンプレート情報に当てはめて情報出力部１８−２に出力する機能とを有する。
【０１６１】
図３６および図３７は、図３５に示す機能ブロック図に対応するパッシブエントリ情報記憶媒体の演算部および乗用車内情報処理システムの演算部におけるフローチャートである。
【０１６２】
同図において、パッシブエントリ情報記憶媒体（携帯ＩＤ）９は、住居内サーバ１６から住居に関する状態情報を受信すると（ＳＴ３６０１）、受信した住居に関する状態情報を住居内状態情報記憶部４１−２に書き込む（ＳＴ３６０２）。乗用車内情報処理システム６−２は、ハンドルセンサ１３−１から人体検知信号の出力を受け付けると（ＳＴ３７０１）、利用者ＩＤの返信を要求する返信要求信号を乗用車６の周囲に送信（発信）する（ＳＴ３７０２）。ハンドルセンサ１３−１に検知された利用者１が所持するパッシブエントリ情報記憶媒体（携帯ＩＤ）９は、乗用車内情報処理システム６−２から利用者ＩＤの返信を要求する返信要求信号を受信すると、受信した要求信号に基づいて利用者ＩＤを利用者ＩＤ記憶部４１−１から読み込み（ＳＴ３７０３）、住居内状態情報記憶部４１−２から住居に関する状態情報を読み込み（ＳＴ３７０４）、読み込んだ住居に関する状態情報を利用者ＩＤ記憶部４１−１から読み込んだ利用者ＩＤに付与し（ＳＴ３７０５）、住居に関する状態情報を付与された利用者ＩＤを乗用車内情報処理システム６−２に送信して（ＳＴ３７０６）、処理を終了する。乗用車内情報処理システム６−２は、パッシブエントリ情報記憶媒体（携帯ＩＤ）９から住居に関する状態情報が付与された利用者ＩＤを受信すると、受信した利用者ＩＤと照合するための照合用の認証情報を認証情報記憶部２３から読み込み（ＳＴ３７０７）、認証情報記憶部２３から読み込んだ認証情報をパッシブエントリ情報記憶媒体（携帯ＩＤ）９から受信した利用者ＩＤと照合し（ＳＴ３７０８）、照合結果が適正であったか否かを判断して（ＳＴ３７０９）、照合結果が適正であった場合には照合結果に基づいてドアロック部１４に開錠を指示し（ＳＴ３７１０）、パッシブエントリ情報記憶媒体（携帯ＩＤ）９から利用者ＩＤとともに受信した住居に関する状態情報をテンプレート情報記憶部２５から読み出したテンプレート情報に当てはめて情報出力部１８−２に出力して（ＳＴ３７１１）、処理を終了し、ＳＴ３７０９で照合結果が適正でなかった場合には照合結果に基づいてドアロック部１４の開錠を拒否して（ＳＴ３７１２）、処理を終了する。
【０１６３】
（第３実施形態）
図３８〜図４７を用いて、本発明における第３実施形態を説明する。この実施形態は、利用者１が住居から外出する外出行為の検知を情報提供の起点とする場合である。
【０１６４】
図３８は、本発明の第３実施形態における情報提供システムのコンセプトを説明する説明図である。
【０１６５】
利用者１が利用者ＩＤを記憶する利用者認証媒体（携帯ＩＤ）５８を持って玄関ドアを内側から開けると、利用者認証媒体（携帯ＩＤ）５８から読み取った利用者ＩＤが示す利用者１が住居から外出すると見なして、住居に関する情報を乗用車内情報処理システム６−２に送信しておく。乗用車内情報処理システム６−２に送信された情報は、乗用車６のドアロック部１４が開錠された／されようとした際に乗用車内情報処理システム６−２が乗用車６の外部に向けて出力するので、万が一、利用者１が玄関ドア２を閉め忘れて出掛けた場合にも住居に関する情報を利用者１に提供できるシステムとなる。
【０１６６】
キーレスエントリ情報記憶媒体７やパッシブエントリ情報記憶媒体（携帯ＩＤ）９が住居に関する情報を住居内サーバ１６から受信する場合は、これらの情報記憶媒体が乗用車内情報処理システム６−２への情報受け渡しを仲介しており、住居内サーバ１６と乗用車内情報処理システム６−２とが直接通信する通信手段がない場合でもこれらの情報記憶媒体を介して住居に関する情報を受け渡しすることが出来る。
【０１６７】
また、利用者認証媒体（携帯ＩＤ）５８はキーレスエントリ情報記憶媒体７やパッシブエントリ情報記憶媒体（携帯ＩＤ）９と別体であってもよいが、利用者認証媒体（携帯ＩＤ）５８はキーレスエントリ情報記憶媒体７やパッシブエントリ情報記憶媒体（携帯ＩＤ）９に含まれているように構成されていてもよい。なお、キーレスエントリ情報記憶媒体７が情報記憶領域に記憶する開錠要求信号を利用者ＩＤとして住居内サーバ１６に送信すると、利用者ＩＤを新たに用意しなくとも済む。
【０１６８】
図３９は、本発明の実施形態における利用者ＩＤを記憶する利用者認証媒体（携帯ＩＤ）のハードブロック図である。
【０１６９】
同図において、演算部５９とは、利用者ＩＤを記憶する利用者認証媒体（携帯ＩＤ）５８がプログラムを実行することによって各機能を駆動、処理するための演算機能を持つ部位であり、一般にＣＰＵ（中央演算装置）で構成される。メモリ部６０とは、利用者ＩＤを記憶する利用者認証媒体（携帯ＩＤ）５８の目的を達成するために必要なプログラムやデータを記憶する記憶エリアと演算部５９が実行するプログラムの実行エリアの部位である。情報送受信部６１とは、住居内サーバ１６との情報送受信を制御する部位である。
【０１７０】
情報送受信部６１は、受信アンテナと送信アンテナおよび送受信回路で構成されている。受信アンテナは、例えば１００〜１５０ｋＨｚ程度の低周波（ＬＦ）による起動信号を受信するためのものであり、受信アンテナは、起動信号に応じた利用者ＩＤを記憶する利用者認証媒体（携帯ＩＤ）５８の演算部５９がメモリ部６０に記憶する利用者ＩＤを読み出して、読み出した利用者ＩＤを例えばＵＨＦバンド内の周波数による高周波で返信するためのものである。
【０１７１】
図４０は、本発明の実施形態における住居内サーバおよび利用者ＩＤを記憶する利用者認証媒体（携帯ＩＤ）の機能ブロック図である。
【０１７２】
同図において、玄関ドアに設置されたセンサ５７は、利用者１の手または指が玄関ドア２に設置された取っ手５に近接したことを検知する機能と、玄関ドアが開いたことを検知する機能と、検知結果を外出行為の検知信号として住居内サーバ１６に出力する機能を有する。住居内サーバ１６は、玄関ドアに設置されたセンサ５７から外出行為の検知信号の出力を受け付けると、利用者ＩＤの返信を要求する返信要求信号を玄関ドア２の周囲に送信（発信）する機能とを有する。玄関ドアに設置されたセンサ５７に検知された利用者１が所持する利用者認証媒体（携帯ＩＤ）５８は、住居内サーバ１６から利用者ＩＤの返信を要求する返信要求信号を受信する機能と、受信した要求信号に基づいて利用者ＩＤを利用者ＩＤ記憶部６０−１から読み込む機能と、利用者ＩＤ記憶部６０−１から読み込んだ利用者ＩＤを住居内サーバ１６に返信する機能とを有する。さらに、住居内サーバ１６は、返信要求信号に応じた利用者認証媒体（携帯ＩＤ）５８から利用者ＩＤを受信する機能と、受信した利用者ＩＤに基づいて各種センサ４３から住居に関する状態情報を取得し、取得した住居に関する状態情報を乗用車内情報処理システム６−２、キーレスエントリ情報記憶部７およびパッシブエントリ情報記憶媒体（携帯ＩＤ）９のいずれかに送信する機能とを有する。
【０１７３】
住居内サーバ１６から住居に関する状態情報が、乗用車内情報処理システム６−２、キーレスエントリ情報記憶部７およびパッシブエントリ情報記憶媒体（携帯ＩＤ）９に送信された後の処理は第２実施形態と同様であると考えてよい。
【０１７４】
図４１は、図４０に示す機能ブロック図における一部の機能を詳細に説明する機能ブロック図である。
【０１７５】
同図は、図４０に示す機能ブロック図における「受信した利用者ＩＤに基づいて各種センサ４３から住居に関する状態情報を取得し、取得した住居に関する状態情報を送信する機能」に対応する。この機能ブロック図は、外出行為の検出に応じて住居内サーバ１６が住居に関する状態情報を各種センサ４３から収集し、収集した状態情報を乗用車内情報処理システム６−２、キーレスエントリ情報記憶部７およびパッシブエントリ情報記憶媒体（携帯ＩＤ）９のいずれかに送信する場合の処理である。
【０１７６】
同図において、住居内サーバ１６は、受信した利用者ＩＤと照合するための照合用の認証情報を認証情報記憶部５１から読み込み、認証情報記憶部５１から読み込んだ認証情報を利用者認証媒体（携帯ＩＤ）５８から受信した利用者ＩＤと照合する機能と、照合結果に基づいて各種センサから住居に関する状態情報を取得し、取得した住居に関する状態情報を乗用車内情報処理システム６−２に送信または玄関ドア２周辺に送信（発信）する機能とを有する。
【０１７７】
本発明の情報提供システムでは、住居に関する状態情報は、乗用車２のドアロック部１４が（適正な開錠要求情報によって）正常に開錠された／されようとした場合にしか出力されないので、不要な個人情報がむやみに提供されてしまうことはないが、利用者ＩＤによって外出する利用者１を特定する場合には、（乗用車内情報処理システム６−２に住居に関する状態情報を送信する）住居内サーバ１６側にも利用者ＩＤを用いた信号照合手段があってもよい。こうすることで、乗用車内情報収集システム６−２側と住居内サーバ１６側との二重のチェックが可能となる。
【０１７８】
図４２は、図４０に示す機能ブロック図に対応する玄関ドアに設置されたセンサのフローチャートである。
【０１７９】
同図において、玄関ドアに設置されたセンサ５７は、利用者１の手または指が玄関ドア２に設置された取っ手５に近接したことを検知すると（ＳＴ４２０１）、さらに玄関ドア２が開いたか否かを判断して（ＳＴ４２０２）、玄関ドア２が開かなかった場合はそのまま処理を終了し、玄関ドア２が開いた場合には外出行為検知信号を住居内サーバ１６に出力して（ＳＴ４２０３）、処理を終了する。
【０１８０】
利用者１が玄関ドア２から外出しようとすると、必然的に利用者１が通れるくらいの範囲で玄関ドア２が開かれる必要があるので、玄関ドア２の内側に設置された取っ手５が操作されたことを検知した後に、玄関ドア２があらかじめ定める一定範囲以上開いたことを検知してもよい。
【０１８１】
図４３は、図４０に示す機能ブロック図および図４１に示す機能ブロック図に対応する住居内サーバの演算部および利用者認証媒体の演算部におけるフローチャートである。
【０１８２】
同図において、住居内サーバ１６は、玄関ドアに設置されたセンサ５７から外出行為の検知信号の出力を受け付けると（ＳＴ４３０１）、利用者ＩＤの返信を要求する返信要求信号を玄関ドア２の周囲に送信（発信）する（ＳＴ４３０２）。玄関ドアに設置されたセンサ５７に検知された利用者１が所持する利用者認証媒体（携帯ＩＤ）５８は、住居内サーバ１６から利用者ＩＤの返信を要求する返信要求信号を受信すると、受信した要求信号に基づいて利用者ＩＤを利用者ＩＤ記憶部６０−１から読み込み（ＳＴ４３０３）、利用者ＩＤ記憶部６０−１から読み込んだ利用者ＩＤを住居内サーバ１６に返信して（ＳＴ４３０４）、処理を終了する。住居内サーバ１６は、返信要求信号に応じた利用者認証媒体（携帯ＩＤ）５８から利用者ＩＤを受信すると、受信した利用者ＩＤと照合するための照合用の認証情報を認証情報記憶部５１から読み込み（ＳＴ４３０５）、認証情報記憶部５１から読み込んだ認証情報を利用者認証媒体（携帯ＩＤ）５８から受信した利用者ＩＤと照合し（ＳＴ４３０６）、照合結果が適正であったか否かを判断して（ＳＴ４３０７）、照合結果が適正であった場合には受信した利用者ＩＤの適正を示す信号を出力して（ＳＴ４３０８）、処理を終了し、ＳＴ４３０７で照合結果が適正でなかった場合には、あらかじめ定める一定時間が経過したか否かを判断して（ＳＴ４３０９）、経過していない場合にはＳＴ４３０５に戻り、経過した場合にはそのまま処理を終了する。
【０１８３】
図４４は、図４１に示す機能ブロック図に対応する住居内サーバの演算部および各種センサの演算部におけるフローチャートである。
【０１８４】
同図において、住居内サーバ１６は、受信した利用者ＩＤの適正を示す信号が出力を受け付けると（ＳＴ４４０１）、信号出力に基づいて住居に関する状態情報の返信を要求する返信要求情報を各種センサ４３に送信する（ＳＴ４４０２）。各種センサ４３は、住居内サーバ１６から住居に関する状態情報に対する返信要求情報を受信すると、受信した返信要求情報に基づいて状態情報をセンシングし（ＳＴ４４０３）、センシングした状態情報を住居内サーバ１６に送信して（ＳＴ４４０４）、処理を終了する。住居内サーバ１６は、各種センサ４３から住居に関する状態情報を受信すると、受信した住居に関する状態情報を乗用車内情報処理システム６−２に送信または玄関ドア２周辺に送信（発信）して（ＳＴ４４０５）、処理を終了する。
【０１８５】
図４５は、図４０に示す機能ブロック図における一部の機能を詳細に説明する機能ブロック図である。
【０１８６】
同図は、図４０に示す機能ブロック図における「受信した利用者ＩＤに基づいて各種センサ４３から住居に関する状態情報を取得し、取得した住居に関する状態情報を送信する機能」に対応する。この機能ブロック図は、住居内サーバ１６があらかじめ各種センサ４３から収集しておいた住居に関する状態情報を外出行為の検出に応じて住居内サーバ１６が乗用車内情報処理システム６−２、キーレスエントリ情報記憶部７およびパッシブエントリ情報記憶媒体（携帯ＩＤ）９のいずれかに送信する場合の処理である。
【０１８７】
同図において、住居内サーバ１６は、各種センサ４３から更新された住居に関する状態情報を取得する機能と、更新された住居に関する状態情報を状態情報記憶部５０に書き込む機能と、受信した利用者ＩＤと照合するための照合用の認証情報を認証情報記憶部５１から読み込み、認証情報記憶部５１から読み込んだ認証情報を利用者認証媒体（携帯ＩＤ）５８から受信した利用者ＩＤと照合する機能と、照合結果に基づいて状態情報記憶部５０から住居に関する状態情報を取得し、取得した住居に関する状態情報を乗用車内情報処理システム６−２に送信または玄関ドア２周辺に送信（発信）する機能とを有する。
【０１８８】
図４６は、図４５に示す機能ブロック図に対応する住居内サーバの演算部におけるフローチャートである。
【０１８９】
同図において、住居内サーバ１６は、各種センサ４３から更新された住居に関する状態情報を取得すると（ＳＴ４６０１）、更新された住居に関する状態情報を状態情報記憶部５０に書き込んで（ＤＴ４６０２）、処理を終了する。
【０１９０】
図４７は、図４５に示す機能ブロック図に対応する住居内サーバの演算部におけるフローチャートである。
【０１９１】
同図において、住居内サーバ１６は、受信した利用者ＩＤの適正を示す信号が出力を受け付けると（ＳＴ４７０１）、信号出力に基づいて住居に関する状態情報を状態情報記憶部５０から読み込んで（ＳＴ４７０２）、読み込んだ住居に関する状態情報を乗用車内情報処理システム６−２に送信または玄関ドア２周辺に送信（発信）して（ＳＴ４７０３）、処理を終了する。
【０１９２】
（第４実施形態）
図４８〜図５７を用いて、本発明における第４実施形態を説明する。この実施形態は、住居に関する情報を乗用車内情報処理システム６−２が情報出力手段１８−２から出力した後に、利用者が操作した操作信号をその乗用車の周囲で受け付ける場合である。
【０１９３】
図４８は、本発明の第４実施形態における情報提供システムのコンセプトを説明する説明図である。
【０１９４】
乗用車６のドアロック部１４が開錠された／されようとしたことの検知に応じて、外出する際に気になりがちな、住居に関する状態情報を提供された利用１者は、提供された情報についてわざわざ戻る必要があるとするならばその場で対処したくもなる。戻るまでもないが、対処しなければならない場合にはなおさらである。もちろん、利用者１が自らの目で確認して自らの手で対処したいと思う場合には、住居に戻ればよい。乗用車内情報処理システム６−２が情報を出力した後に、利用者ＩＤを記憶する携帯情報入力機器６２から操作信号を受け付けると、住居内サーバ１６が操作信号に基づいて操作処理を実行する。住居内サーバ１６は常に操作信号を受け付けるのではなく、乗用車内情報処理システム６−２が情報を出力した後の操作信号を実行するところにシステムとしてのポイントがある。
【０１９５】
なお、住居内サーバ１６が実行した操作結果情報は、乗用車内情報処理システム６−２が利用者１に対して提供した住居に関する情報と同様の機能構成を用いて、乗用車内情報処理システム６−２が備える情報出力手段１８−２から出力されるようにするとよい。こうすることで、住居に関する状態情報の提供、提供された情報に対する操作の受け付け、受け付けた操作についての操作結果の提供が一連の流れで処理されることとなる。
【０１９６】
図４９は、本発明の実施形態における利用者ＩＤを記憶する携帯情報入力機器のハードブロック図である。
【０１９７】
同図において、演算部６３とは、利用者ＩＤを記憶する携帯情報入力機器６２がプログラムを実行することによって各機能を駆動、処理するための演算機能を持つ部位であり、一般にＣＰＵ（中央演算装置）で構成される。情報入力部６４とは、利用者１の操作を受け付ける部位であり、利用者１の操作が利用者ＩＤを記憶する携帯情報入力機器６２に対して情報を伝達するものなら、その種類は問わない。メモリ部６５とは、利用者ＩＤを記憶する携帯情報入力機器６２の目的を達成するために必要なプログラムやデータを記憶する記憶エリアと演算部６３が実行するプログラムの実行エリアの部位である。情報送受信部６６とは、乗用車内情報処理システム６−２や住居内サーバ１６との情報送受信を制御する部位である。
【０１９８】
図５０は、本発明の実施形態における乗用車内情報処理システムおよび住居内サーバの機能ブロック図である。
【０１９９】
同図において、乗用車内情報処理システム６−２は、操作信号を携帯情報入力機器６２または情報入力部１８−２から受け付ける機能と、受け付けた操作信号を住居内サーバ１６に送信する機能を有する。住居内サーバ１６は、乗用車内情報処理システム６−２から操作信号を受信する機能と、受信した操作信号に基づいて操作対象６８に操作処理を実行する機能と、操作対象６８をセンシングする各種センサ４３から更新された状態情報を取得する機能と、取得した住居に関する状態情報を操作信号に対応する操作結果情報として乗用車内情報システム６−２に送信する機能とを有する。さらに、乗用車内情報処理システム６−２は、操作信号に応じた住居内サーバ１６から操作信号に対応する操作結果情報を受信する機能と、受信した操作結果情報をテンプレート情報記憶部２５から読み出したテンプレート情報に当てはめて情報出力部１８−２に出力する機能とを有する。
【０２００】
これは、住居に関する情報を乗用車内情報処理システム６−２が情報出力手段１８−２から出力した後に、利用者１が操作した操作信号をその乗用車内情報処理システム６−２が受け付けて、受け付けた操作信号を住居内サーバ１６に送信する場合である。乗用車内情報処理システム６−２と住居内サーバ１６との間で通信可能な場合には、携帯情報入力機器６２から住居内サーバ１６に操作信号を送信する機能を持たせずとも、携帯情報入力機器６２は利用者１の目の前にある乗用車内情報処理システム６−２まで操作信号が送信できる程度の簡易的な近距離通信手段のみを備えるだけでよいことになる。
【０２０１】
乗用車内情報処理システム６−２が乗用車２の外部から操作可能な情報入力手段１８−１を備える場合には、この情報入力手段１８−１から操作信号を受け付けてもよい。情報出力手段１８−２によって乗用車に乗り込む前の利用者に情報を提供していることから、この場合の情報入力手段１８−１は乗用車の外部に設置されている方が好ましく、理に適うことになる。
【０２０２】
なお、乗用車内情報処理システム６−２は、動力部（エンジン）６７の始動検知に基づいて受け付け処理を停止する機能を有してもよい。これは、乗用車２の動力部（エンジン）６７が始動されると操作が効かなくなるようにする場合である。乗用車の動力部（エンジン）６７が始動されたということは、出力した情報に対する操作が必要ない、またはそれまでに操作を受け付けていた場合にはそれ以上必要ないと利用者１が判断したと見なして、操作受け付けの処理を終了するとよい。
【０２０３】
図５１は、図５０に示す機能ブロック図に対応する乗用車内情報処理システムの演算部および住居内サーバの演算部におけるフローチャートである。
【０２０４】
同図において、乗用車内情報処理システム６−２は、情報出力部１８−２に住居に関する状態情報を出力すると（ＳＴ５１０１）、出力した状態情報に対する操作信号が携帯情報入力機器６２または情報入力部１８−１から受け付けたか否かを判断して（ＳＴ５１０２）、操作信号の受け付けがない場合には動力部（エンジン）６７の始動検知ありか否かを判断して（ＳＴ５１０７）、始動検知がない場合にはＳＴ５１０２に戻り、始動検知があった場合には、操作信号の受け付け（住居内サーバ１６への送信）を停止して（ＳＴ５１０８）、処理を終了する。ＳＴ５１０２で操作信号の受け付けがあった場合には、受け付けた操作信号を住居内サーバ１６に送信する（ＳＴ５１０３）。住居内サーバ１６は、乗用車内情報処理システム６−２から操作信号を受信すると、受信した操作信号に基づいて操作対象６８に操作処理を実行し（ＳＴ５１０４）、操作対象６８をセンシングする各種センサ４３から更新された状態情報を取得し、取得した住居に関する状態情報を操作信号に対応する操作結果情報として乗用車内情報システム６−２に送信して（ＳＴ５１０５）、処理を終了する。乗用車内情報処理システム６−２は、操作信号に応じた住居内サーバ１６から操作信号に対応する操作結果情報を受信すると、受信した操作結果情報をテンプレート情報記憶部２５から読み出したテンプレート情報に当てはめて情報出力部１８−２に出力して（ＳＴ５１０６）、処理を終了する。
【０２０５】
図５２は、図５０に示す機能ブロック図に対応する乗用車内情報処理システムの演算部および住居内サーバの演算部におけるフローチャートである。
【０２０６】
同図において、乗用車内情報処理システム６−２は、利用者ＩＤとともに操作信号を携帯情報入力機器６２または情報入力部１８−１から受け付けると（ＳＴ５２０１）、受け付けた操作信号を利用者ＩＤとともに住居内サーバ１６に送信する（ＳＴ５２０２）。住居内サーバ１６は、乗用車内情報処理システム６−２から操作信号を利用者ＩＤとともに受信すると、受信した利用者ＩＤと照合するための照合用の認証情報を認証情報記憶部５１から読み込み（ＳＴ５２０３）、認証情報記憶部５１から読み込んだ認証情報を乗用車内情報処理システム６−２から受信した利用者ＩＤと照合し（ＳＴ５２０４）、照合結果が適正であったか否かを判断して（ＳＴ５２０５）、照合結果が適正でなかった場合にはそのまま処理を終了し、照合結果が適正であった場合には、受信した操作信号に基づいて操作対象６８に操作処理を実行し（ＳＴ５２０６）、操作対象６８をセンシングする各種センサ４３から更新された状態情報を取得し、取得した住居に関する状態情報を操作信号に対応する操作結果情報として乗用車内情報システム６−２に送信して（ＳＴ５２０７）、処理を終了する。乗用車内情報処理システム６−２は、操作信号に応じた住居内サーバ１６から操作信号に対応する操作結果情報を受信すると、受信した操作結果情報をテンプレート情報記憶部２５から読み出したテンプレート情報に当てはめて情報出力部１８−２に出力して（ＳＴ５２０８）、処理を終了する。
【０２０７】
このように携帯情報入力機器６２から受け付けた利用者ＩＤは、受け付けた住居内サーバ１６が備える信号照合手段によって照合されるとよい。こうすることで、間違った操作信号の受け付けを防止し、結果として利用者１が意図しないような操作が制御装置で実行されることがなくなる。
【０２０８】
図５３は、図５０に示す機能ブロック図に対応する乗用車内情報処理システムの演算部におけるフローチャートである。
【０２０９】
同図において、乗用車内情報処理システム６−２は、利用者ＩＤとともに操作信号を携帯情報入力機器６２または情報入力部１８−１から受け付けると（ＳＴ５３０１）、受け付けた利用者ＩＤと照合するための照合用の認証情報を認証情報記憶部２３から読み込み（ＳＴ５３０２）、認証情報記憶部２３から読み込んだ認証情報を、携帯情報入力機器６２または情報入力部１８−１から受け付けた利用者ＩＤと照合し（ＳＴ５３０３）、照合結果が適正であったか否かを判断して（ＳＴ５３０４）、照合結果が適正でなかった場合にはそのまま処理を終了し、照合結果が適正であった場合には、受け付けた操作信号を住居内サーバ１６に送信し（ＳＴ５３０５）、操作信号に応じた住居内サーバ１６から操作信号に対応する操作結果情報を受信すると（ＳＴ５３０６）、受信した操作結果情報をテンプレート情報記憶部２５から読み出したテンプレート情報に当てはめて情報出力部１８−２に出力して（ＳＴ５３０７）、処理を終了する。
【０２１０】
このように携帯情報入力機器６２から操作信号とともに受け付けた利用者ＩＤを用いて乗用車内情報処理システム６−２が備える信号照合手段によって照合処理を実行するようにすると、受け付けた操作信号が適正でなかった場合に住居内サーバ１６にムダな情報を送信しなくとも済む。
【０２１１】
図５４は、本発明の実施形態における乗用車内情報処理システムおよび住居内サーバの機能ブロック図である。
【０２１２】
同図において、乗用車内情報処理システム６−２は、操作信号を携帯情報入力機器６２または情報入力部１８−１から受け付ける機能と、受け付けた操作信号に対応する情報として、情報出力部１８−２に出力した住居に関する状態情報を取得する機能と、受け付けた操作情報を、取得した住居に関する状態情報に対する操作情報として住居内サーバ１６に送信する機能を有する。住居内サーバ１６は、乗用車内情報処理システム６−２から操作信号を受信する機能と、受信した操作信号に基づいて操作対象６８に操作処理を実行する機能と、操作対象６８をセンシングする各種センサ４３から更新された状態情報を取得する機能と、取得した住居に関する状態情報を操作信号に対応する操作結果情報として乗用車内情報システム６−２に送信する機能とを有する。さらに、乗用車内情報処理システム６−２は、操作信号に応じた住居内サーバ１６から操作信号に対応する操作結果情報を住居内サーバ１６から受信する機能と、受信した操作結果情報をテンプレート情報記憶部２５から読み出したテンプレート情報に当てはめて情報出力部１８−２に出力する機能とを有する。なお、乗用車内情報処理システム６−２は、動力部（エンジン）６７の始動検知に基づいて受け付け処理を停止する機能を有してもよい。
【０２１３】
このように利用者から受け付けた操作は、必然的に乗用車内情報処理装置の情報出力手段が出力した情報に対する操作であるので、操作信号を受け付けた乗用車内情報処理装置は情報出力手段に出力した住居に関する情報に対する操作信号として制御装置に送信すれば、利用者の操作をより簡易的な操作とすることが出来る。
【０２１４】
図５５は、図５４に示す機能ブロック図に対応する乗用車内情報処理システムの演算部および住居内サーバの演算部におけるフローチャートである。
【０２１５】
同図において、乗用車内情報処理システム６−２は、情報出力部１８−２に住居に関する状態情報を出力すると（ＳＴ５５０１）、出力した状態情報に対する操作信号が携帯情報入力機器６２または情報入力部１８−１から受け付けたか否かを判断して（ＳＴ５５０２）、操作信号の受け付けがない場合には動力部（エンジン）６７の始動検知ありか否かを判断して（ＳＴ５５０８）、始動検知がない場合にはＳＴ５５０２に戻り、始動検知があった場合には、操作信号の受け付け（住居内サーバ１６への送信）を停止して（ＳＴ５５０９）、処理を終了する。ＳＴ５５０２で操作信号の受け付けがあった場合には、受け付けた操作信号に対応する情報として、情報出力部１８−２に出力した住居に関する状態情報を取得し（ＳＴ５５０３）、受け付けた操作情報を、取得した住居に関する状態情報に対する操作情報として住居内サーバ１６に送信する（ＳＴ５５０４）。住居内サーバ１６は、乗用車内情報処理システム６−２から操作信号を受信すると、受信した操作信号に基づいて操作対象６８に操作処理を実行し（ＳＴ５５０５）、操作対象６８をセンシングする各種センサ４３から更新された状態情報を取得し、取得した住居に関する状態情報を操作信号に対応する操作結果情報として乗用車内情報システム６−２に送信して（ＳＴ５５０６）、処理を終了する。乗用車内情報処理システム６−２は、操作信号に応じた住居内サーバ１６から操作信号に対応する操作結果情報を受信すると、受信した操作結果情報をテンプレート情報記憶部２５から読み出したテンプレート情報に当てはめて情報出力部１８−２に出力して（ＳＴ５５０７）、処理を終了する。
【０２１６】
図５６は、本発明の実施形態における携帯情報入力機器、住居内サーバおよび乗用車内情報処理システムの機能ブロック図である。
【０２１７】
同図において、利用者ＩＤを記憶する携帯情報入力機器６２は、操作信号を情報入力部６４から受け付ける機能と、受け付けた操作信号を住居内サーバ１６に送信する機能を有する。住居内サーバ１６は、携帯情報入力機器６２から操作信号を利用者ＩＤとともに受信する機能と、受信した操作信号に基づいて操作対象６８に操作処理を実行する機能と、操作対象６８をセンシングする各種センサ４３から更新された状態情報を取得する機能と、取得した住居に関する状態情報を操作信号に対応する操作結果情報として乗用車内情報システム６−２に送信する機能とを有する。乗用車内情報処理システム６−２は、操作信号に応じた住居内サーバ１６から操作信号に対応する操作結果情報を住居内サーバ１６から受信する機能と、受信した操作結果情報をテンプレート情報記憶部２５から読み出したテンプレート情報に当てはめて情報出力部１８−２に出力する機能とを有する。
【０２１８】
これは、乗用車内情報処理システム６−２が情報出力部１８−２に出力した住居に関する状態情報に対する操作信号を携帯情報入力機器６２から直接、住居内サーバ１６に入力される場合である。
【０２１９】
図５７は、図５６に示す機能ブロック図に対応する携帯情報入力機器の演算部、住居内サーバの演算部および乗用車内情報処理システムの演算部におけるフローチャートである。
【０２２０】
同図において、利用者ＩＤを記憶する携帯情報入力機器６２は、操作信号を情報入力部６４から受け付けると（ＳＴ５７０１）、メモリ部６５から利用者ＩＤを読み出して、受け付けた操作信号を利用者ＩＤとともに住居内サーバ１６に送信して（ＳＴ５７０２）、処理を終了する。住居内サーバ１６は、携帯情報入力機器６２から操作信号を利用者ＩＤとともに受信すると、受信した利用者ＩＤと照合するための照合用の認証情報を認証情報記憶部５１から読み込み（ＳＴ５７０３）、認証情報記憶部５１から読み込んだ認証情報を乗用車内情報処理システム６−２から受信した利用者ＩＤと照合し（ＳＴ５７０４）、照合結果が適正であったか否かを判断して（ＳＴ５７０５）、照合結果が適正でなかった場合にはそのまま処理を終了し、照合結果が適正であった場合には、受信した操作信号に基づいて操作対象６８に操作処理を実行し（ＳＴ５７０６）、操作対象６８をセンシングする各種センサ４３から更新された状態情報を取得し、取得した住居に関する状態情報を操作信号に対応する操作結果情報として乗用車内情報システム６−２に送信して（ＳＴ５７０７）、処理を終了する。乗用車内情報処理システム６−２は、操作信号に応じた住居内サーバ１６から操作信号に対応する操作結果情報を受信すると、受信した操作結果情報をテンプレート情報記憶部２５から読み出したテンプレート情報に当てはめて情報出力部１８−２に出力して（ＳＴ５７０８）、処理を終了する。
【図面の簡単な説明】
【０２２１】
【図１】本発明の実施形態における情報提供システムのコンセプトを説明する説明図
【図２】本発明の実施形態における情報提供システムのコンセプトを説明する説明図
【図３】本発明の実施形態における乗用車駆動部のハードブロック図
【図４】本発明の実施形態における乗用車に搭載される乗用車内情報処理システムのハードブロック図
【図５】本発明の実施形態におけるハンドルセンサのハードブロック図
【図６】本発明の実施形態におけるキーレスエントリ情報記憶媒体のハードブロック図
【図７】本発明の実施形態におけるパッシブエントリ情報記憶媒体（携帯ＩＤ）のハードブロック図
【図８】本発明の実施形態における住居内サーバのハードブロック図
【図９】本発明の実施形態における住居内センサターミナルのハードブロック図
【図１０】本発明の実施形態におけるキーレスエントリ情報記憶媒体および乗用車内情報処理システムの機能ブロック図
【図１１】図１０に示す機能ブロック図に対応するキーレスエントリ情報記憶媒体の演算部および乗用車内情報処理システムの演算部におけるフローチャート
【図１２】本発明の実施形態におけるパッシブエントリ情報記憶媒体（携帯ＩＤ）および乗用車内情報処理システムの機能ブロック図
【図１３】図１２に示す機能ブロック図に対応するハンドルセンサの処理回路部におけるフローチャート
【図１４】図１２に示す機能ブロック図に対応するパッシブエントリ情報記憶媒体（携帯ＩＤ）の演算部および乗用車内情報処理システムの演算部におけるフローチャート
【図１５】本発明の実施形態におけるキーレスエントリ情報記憶媒体および乗用車内情報処理システムの機能ブロック図
【図１６】図１５に示す機能ブロック図に対応するキーレスエントリ情報記憶媒体の演算部および乗用車内情報処理システムの演算部におけるフローチャート
【図１７】本発明の実施形態における乗用車内情報処理システムおよびパッシブエントリ情報記憶媒体（携帯ＩＤ）の機能ブロック図
【図１８】図１７に示す機能ブロック図に対応する乗用車内情報処理システムの演算部およびパッシブエントリ情報記憶媒体（携帯ＩＤ）の演算部におけるフローチャート
【図１９】図１５または図１７に示す機能ブロック図における一部の機能を詳細に説明する機能ブロック図
【図２０】図１９に示す機能ブロック図に対応する乗用車内情報処理システムの演算部および住居内サーバの演算部におけるフローチャート
【図２１】図１５または図１７に示す機能ブロック図における一部の機能を詳細に説明する機能ブロック図
【図２２】図２１に示す機能ブロック図に対応する住居内サーバの演算部および乗用車内情報処理システムの演算部におけるフローチャート
【図２３】図１５または図１７に示す機能ブロック図における一部の機能を詳細に説明する機能ブロック図
【図２４】図２３に示す機能ブロック図に対応する住居内センサターミナルの演算部および乗用車内情報処理システムの演算部におけるフローチャート
【図２５】本発明の第２実施形態における情報提供システムのコンセプトを説明する説明図
【図２６】本発明の実施形態における住居内サーバの機能ブロック図
【図２７】図２６に示す機能ブロック図に示す玄関ドアに設置されたセンサの処理回路部におけるフローチャート
【図２８】図２６に示す機能ブロック図における住居内サーバの演算部におけるフローチャート
【図２９】本発明の実施形態における住居内サーバの機能ブロック図
【図３０】図２９に示す機能ブロック図における住居内サーバの演算部におけるフローチャート
【図３１】図２６に示す機能ブロック図または図２９に示す機能ブロック図に続く乗用車内情報処理システムの機能ブロック図
【図３２】図３１に示す機能ブロック図に対応する乗用車内情報処理システムの演算部におけるフローチャート
【図３３】図２６に示す機能ブロック図または図２９に示す機能ブロック図に続くキーレスエントリ情報記憶媒体および乗用車内情報処理システムの機能ブロック図
【図３４】図３３に示す機能ブロック図に対応するキーレスエントリ情報記憶媒体の演算部および乗用車内情報処理システムの演算部におけるフローチャート
【図３５】図２６に示す機能ブロック図または図２９に示す機能ブロック図に続くパッシブエントリ情報記憶媒体（携帯ＩＤ）および乗用車内情報処理システムの機能ブロック図
【図３６】図３５に示す機能ブロック図に対応するパッシブエントリ情報記憶媒体の演算部および乗用車内情報処理システムの演算部におけるフローチャート
【図３７】図３５に示す機能ブロック図に対応するパッシブエントリ情報記憶媒体の演算部および乗用車内情報処理システムの演算部におけるフローチャート
【図３８】本発明の第３実施形態における情報提供システムのコンセプトを説明する説明図
【図３９】本発明の実施形態における利用者ＩＤを記憶する利用者認証媒体（携帯ＩＤ）のハードブロック図
【図４０】本発明の実施形態における住居内サーバおよび利用者ＩＤを記憶する利用者認証媒体（携帯ＩＤ）の機能ブロック図
【図４１】図４０に示す機能ブロック図における一部の機能を詳細に説明する機能ブロック図
【図４２】図４０に示す機能ブロック図に対応する玄関ドアに設置されたセンサのフローチャート
【図４３】図４０に示す機能ブロック図および図４１に示す機能ブロック図に対応する住居内サーバの演算部および利用者認証媒体の演算部におけるフローチャート
【図４４】図４１に示す機能ブロック図に対応する住居内サーバの演算部および各種センサの演算部におけるフローチャート
【図４５】図４０に示す機能ブロック図における一部の機能を詳細に説明する機能ブロック図
【図４６】図４５に示す機能ブロック図に対応する住居内サーバの演算部におけるフローチャート
【図４７】図４５に示す機能ブロック図に対応する住居内サーバの演算部におけるフローチャート
【図４８】本発明の第４実施形態における情報提供システムのコンセプトを説明する説明図
【図４９】本発明の実施形態における利用者ＩＤを記憶する携帯情報入力機器のハードブロック図
【図５０】本発明の実施形態における乗用車内情報処理システムおよび住居内サーバの機能ブロック図
【図５１】図５０に示す機能ブロック図に対応する乗用車内情報処理システムの演算部および住居内サーバの演算部におけるフローチャート
【図５２】図５０に示す機能ブロック図に対応する乗用車内情報処理システムの演算部および住居内サーバの演算部におけるフローチャート
【図５３】図５０に示す機能ブロック図に対応する乗用車内情報処理システムの演算部におけるフローチャート
【図５４】本発明の実施形態における乗用車内情報処理システムおよび住居内サーバの機能ブロック図
【図５５】図５４に示す機能ブロック図に対応する乗用車内情報処理システムの演算部および住居内サーバの演算部におけるフローチャート
【図５６】本発明の実施形態における携帯情報入力機器、住居内サーバおよび乗用車内情報処理システムの機能ブロック図
【図５７】図５６に示す機能ブロック図に対応する携帯情報入力機器の演算部、住居内サーバの演算部および乗用車内情報処理システムの演算部におけるフローチャート
【符号の説明】
【０２２２】
１  利用者
２  玄関ドア
３  玄関ドア用の鍵
４  玄関ドアに設置された錠
５  玄関ドアに設置された取っ手
６  乗用車
６−１  乗用車駆動部
６−２  乗用車内情報処理システム
７  キーレスエントリ情報記憶媒体
８  乗用車に設置されたドアハンドル（ドアの取っ手）
９  パッシブエントリ情報記憶媒体（携帯ＩＤ）
１０  情報出力部（情報表示装置）
１１  情報出力部として機能する乗用車のウィンドウ
１２  音声情報を出力する情報出力部（音声出力装置）
１３  各種センサ
１３−１  ハンドルセンサ
１４  ドアロックアクチュエータ（ドアロック部）
１６  住居内サーバ
１７  住居内センサターミナル
１８  情報入出力部
１８−１  情報入力部
１８−２  情報出力部
２２  処理プログラム
２３  認証情報記憶部
２４  住居内状態情報記憶部
２５  テンプレート情報記憶部
３７  施錠／開錠操作部
３８  メモリ部
３８−１  開錠／施錠信号記憶部
３８−２  住居内情報記憶部（一時記憶メモリ）
４１  メモリ部
４１−１  利用者ＩＤ記憶部
４１−２  住居内情報記憶部（一時記憶メモリ）
４３  各種センサ
４９  処理プログラム
５０  状態情報記憶部
５１  認証情報記憶部
５７  玄関ドアに設置されたセンサ
５８  利用者ＩＤを記憶する利用者認証媒体（携帯ＩＤ）
６０  メモリ部
６０−１  利用者ＩＤ記憶部
６２  利用者ＩＤを記憶する携帯情報入力機器
６４  情報入力部
６７  動力部（エンジン）
６８  操作対象
【図１】
2006009338.tif 000003
【図２】
2006009338.tif 000004
【図３】
2006009338.tif 000005
【図４】
2006009338.tif 000006
【図５】
2006009338.tif 000007
【図６】
2006009338.tif 000008
【図７】
2006009338.tif 000009
【図８】
2006009338.tif 000010
【図９】
2006009338.tif 000011
【図１０】
2006009338.tif 000012
【図１１】
2006009338.tif 000013
【図１２】
2006009338.tif 000014
【図１３】
2006009338.tif 000015
【図１４】
2006009338.tif 000016
【図１５】
2006009338.tif 000017
【図１６】
2006009338.tif 000018
【図１７】
2006009338.tif 000019
【図１８】
2006009338.tif 000020
【図１９】
2006009338.tif 000021
【図２０】
2006009338.tif 000022
【図２１】
2006009338.tif 000023
【図２２】
2006009338.tif 000024
【図２３】
2006009338.tif 000025
【図２４】
2006009338.tif 000026
【図２５】
2006009338.tif 000027
【図２６】
2006009338.tif 000028
【図２７】
2006009338.tif 000029
【図２８】
2006009338.tif 000030
【図２９】
2006009338.tif 000031
【図３０】
2006009338.tif 000032
【図３１】
2006009338.tif 000033
【図３２】
2006009338.tif 000034
【図３３】
2006009338.tif 000035
【図３４】
2006009338.tif 000036
【図３５】
2006009338.tif 000037
【図３６】
2006009338.tif 000038
【図３７】
2006009338.tif 000039
【図３８】
2006009338.tif 000040
【図３９】
2006009338.tif 000041
【図４０】
2006009338.tif 000042
【図４１】
2006009338.tif 000043
【図４２】
2006009338.tif 000044
【図４３】
2006009338.tif 000045
【図４４】
2006009338.tif 000046
【図４５】
2006009338.tif 000047
【図４６】
2006009338.tif 000048
【図４７】
2006009338.tif 000049
【図４８】
2006009338.tif 000050
【図４９】
2006009338.tif 000051
【図５０】
2006009338.tif 000052
【図５１】
2006009338.tif 000053
【図５２】
2006009338.tif 000054
【図５３】
2006009338.tif 000055
【図５４】
2006009338.tif 000056
【図５５】
2006009338.tif 000057
【図５６】
2006009338.tif 000058
【図５７】
2006009338.tif 000059